(57)【要約】  本／ラップトップ型コンピュータスタンドを用いるためのシステムおよび方法を開示する。当該本／ラップトップ型コンピュータスタンドは、短いスタンドまたは長いスタンド、および搭載デッキを含む。当該搭載デッキは、搭載プラットフォーム、搭載プラットフォームカプラ、摺動クランプ、および摺動クランプスロットを含む。当該搭載プラットフォームは、３６０°回転および旋回可能であり、搭載カプラによって当該スタンドのいずれにも取付けられる。当該スタンドの高さおよび幅は任意の戻り止めで調整されて、予め定められた位置で固定され得る。搭載カプラは、搭載プラットフォームを当該スタンドに回転可能に摩擦結合する。当該搭載プラットフォームは、摺動クランプスロット内において適所に調整可能な摺動クランプを含む。戻り止めはまた、搭載カプラのために設けられてもよい。当該摺動クランプはロッキングレバーを含み、これには、本／ラップトップ型コンピュータスタンドのユーザが本のページを実質的に容易にめくることを可能にする回転ボールが取付けられている。
2009514607.tif 000002
【特許請求の範囲】
【請求項１】
ユーザのために視認可能な物体を保持する際に使用されるスタンドであって、
基部と、
複数のスロットおよび複数のクランプを含む搭載プラットフォームとを含み、各スロットはクランプを含み、さらに、前記クランプは前記視認可能な物体を概してｘ字形の搭載プラットフォームに固定するよう構成され、
前記クランプの各々はロッキングレバーを含み、さらに、
各ロッキングレバーは、要望に応じてユーザが前記視認可能な物体の一部を動かすことを可能にするよう構成されたローラを含み、前記スタンドはさらに、
ユーザが選択可能な角度で前記概してｘ字形の搭載プラットフォームを前記基部に摩擦係合させるよう構成された搭載プラットフォームカプラを含む、スタンド。
【請求項２】
前記搭載プラットフォームは概してｘ字形である、請求項１に記載のスタンド。
【請求項３】
前記搭載プラットフォームは、
前記視認可能な物体をユーザに対して平面の関係で保持するよう構成された第１の実質的に平坦な表面と、
前記第１の実質的に平坦な表面に対して実質的に平行な第２の実質的に平坦な表面と、
前記第１の実質的に平坦な表面と第２の実質的に平坦な表面との間に形成された窪んだ区域とを含み、前記窪んだ区域は、前記視認可能な物体によって生成される過剰な熱を排出するよう構成される、請求項１に記載のスタンド。
【請求項４】
前記搭載カプラは、１組の予め定められた戻り止め角のうちのいずれかで前記基部を摩擦係合するよう構成される、請求項１に記載のスタンド。
【請求項５】
前記基部は幅および／または高さで調整されるよう構成され、さらに、複数の戻り止め角および位置が前記基部の幅および／または高さを調整するよう設けられる、請求項１に記載のスタンド。
【請求項６】
前記基部の上方において高さで調整可能である調整可能な揺止め補強材を含み、前記調整可能な揺止め補強材は、前記スタンドが実質的に安定し、前記視認可能な物体を前記搭載プラットフォームに固定した結果、ひっくり返るか、揺れるかまたは傾くことが実質的にできなくなるように、物体の下側に楔力を与えるよう構成される、請求項１に記載のスタンド。
【請求項７】
前記基部は、
第１の端部および第２の端部を含む第１および第２のＬ字形のクロスバーと、
実質的に水平な部分および角度の付いた部分を含む第１および第２の基部脚とを含み、
前記第１および第２の基部脚は、前記第１および第２の基部脚の前記角度の付いた部分において前記第１および第２のＬ字形のクロスバーの前記第１の端部を摩擦係合するよう構成され、
前記第１および第２のＬ字形のクロスバーは、それぞれの第２の端部において互いに摩擦係合するよう構成される、請求項１に記載のスタンド。
【請求項８】
前記第１および第２の基部脚の前記角度の付いた部分は、前記実質的に水平な部分に対して約４８゜〜約６８゜の角度で形成することができる、請求項７に記載のスタンド。
【請求項９】
前記第１および第２の基部脚の前記角度の付いた部分は、前記実質的に水平な部分に対して約５３゜〜約６３゜の角度で形成することができる、請求項７に記載のスタンド。
【請求項１０】
前記第１および第２の基部脚の前記角度の付いた部分は、前記実質的に水平な部分に対して約５８゜の角度で形成することができる、請求項７に記載のスタンド。
【請求項１１】
前記基部はさらに、
前記実質的に水平な部分を前記第１および第２の基部脚の各々の前記角度の付いた部分に回転可能に結合するよう構成された回転カプラを含む、請求項７に記載のスタンド。
【請求項１２】
前記第１および第２の基部脚の前記角度の付いた部分は複数の角度で調整されるよう構成され、複数の戻り止め角が、前記第１および第２の基部脚の前記角度の付いた部分を調整するよう設けられる、請求項１１に記載のスタンド。
【請求項１３】
前記戻り止め角は約５゜で実質的に等しく間隔が空けられている、請求項１２に記載のスタンド。
【請求項１４】
前記戻り止め角は実質的に等しく間隔が空けられていない、請求項１２に記載のスタンド。
【請求項１５】
前記第１および第２のクロスバーは、第１および第２の端部を有する単一のクロスバーと置換えられ、前記単一のクロスバーは、前記第１および第２の基部脚の前記角度の付いた部分を摩擦係合するよう構成される、請求項７に記載のスタンド。
【請求項１６】
前記スタンドの幅を調整するための手段をさらに含む、請求項７に記載のスタンド。
【請求項１７】
前記スタンドの幅を調整するための手段は、
前記第１および第２のＬ字形のクロスバーの前記第２の端部において摩擦係合を調整し、これにより、前記第１の基部脚と前記第２の基部脚との間の距離を調整することを含む、請求項１６に記載のスタンド。
【請求項１８】
前記基部は、
第１および第２の端部を含む実質的に″［″成形加工されたクロスバーと、
第１および第２の基部脚とを含み、前記第１および第２の基部脚は、実質的に水平な部分と、前記実質的に水平な部分に回転可能に結合された角度の付いた部分とを含み、
前記第１および第２の基部脚は、それぞれ、前記第１および第２の基部脚の前記角度の付いた部分において前記実質的に″［″成形加工されたクロスバーの前記第１および第２の端部を摩擦係合するよう構成される、請求項１に記載のスタンド。
【請求項１９】
前記実質的に″［″成形加工されたクロスバーは、
各々が第１および第２の端部を含む第１および第２の実質的に″Ｌ″字形のクロスバー部分と、
第１および第２の端部を含む実質的に真直ぐなクロスバー部分とを含み、
前記″Ｌ″字形のクロスバー部分の前記第１の端部は、それぞれ、前記第１および第２の基部脚の前記角度の付いた部分を摩擦係合するよう構成され、
前記″Ｌ″字形のクロスバー部分の前記第２の端部は、それぞれ、前記実質的に真直ぐなクロスバー部分の前記第１および第２の端部を摩擦係合するよう構成される、請求項１８に記載のスタンド。
【請求項２０】
前記第１および第２の基部脚の前記角度の付いた部分は、前記実質的に水平な部分に対して約４８゜〜約６８゜の角度を形成するよう回転させられる、請求項１８に記載のスタンド。
【請求項２１】
前記第１および第２の基部脚の前記角度の付いた部分は、前記実質的に水平な部分に対して約５３゜〜約６３゜の角度を形成するよう回転させることができる、請求項１８に記載のスタンド。
【請求項２２】
前記第１および第２の基部脚の前記角度の付いた部分は、前記実質的に水平な部分に対して約５８°の角度を形成するよう回転させることができる、請求項１８に記載のスタンド。
【請求項２３】
前記第１および第２の基部脚の前記角度の付いた部分は複数の角度で調整されるよう構成され、複数の戻り止め角が前記第１および第２の基部脚の前記角度の付いた部分を調整するよう設けられる、請求項１８に記載のスタンド。
【請求項２４】
前記戻り止め角が約５゜で実質的に等しく間隔が空けられている、請求項２３に記載のスタンド。
【請求項２５】
前記戻り止め角が実質的に等しく間隔を空けられていない、請求項２３に記載のスタンド。
【請求項２６】
前記第１および第２の基部脚の各々は、さらに、前記実質的に水平な部分および前記角度の付いた部分が実質的に互いに平行になりかつ隣接するように、回転により折重なるよう構成される、請求項１８に記載のスタンド。
【請求項２７】
前記第１および第２の基部脚の各々の前記角度の付いた部分はさらに、
第１の外側チューブと、
前記第１の外側チューブにばね結合された第１の内側チューブと、
前記第１の外側チューブと前記第１の内側チューブとの間のばねによってばね力が加えられた結果、前記第１の外側チューブに対してユーザが選択可能な高さで前記第１の内側チューブを保持するよう構成された捩り止めとを含む、請求項１８に記載のスタンド。
【請求項２８】
前記基部はさらに、
前記実質的に水平な部分を前記第１および第２の基部脚の各々の前記角度の付いた部分に回転可能に結合するよう構成された回転カプラを含む、請求項１８に記載のスタンド。
【請求項２９】
前記ユーザは、実質的に仰向けの位置から実質的に起上がった位置までの範囲の位置を取ることができる、請求項１に記載のスタンド。
【請求項３０】
前記スタンドの幅を調整するための手段をさらに含む、請求項１に記載のスタンド。
【請求項３１】
前記スタンドの幅を調整するための手段は、
前記″［″成形加工されたクロスバーの幅を調整するための手段を含み、前記″［″成形加工されたクロスバーの幅を調整するための手段は、
各々が第１および第２の端部を含む第１および第２の実質的に″Ｌ″字形のクロスバー部分と、
第１および第２の端部を含む実質的に真直ぐなクロスバー部分とを含み、
前記″Ｌ″字形のクロスバー部分の前記第１の端部は、それぞれ、前記第１および第２の基部脚の前記角度の付いた部分を摩擦係合するよう構成され、
前記″Ｌ″字形のクロスバー部分の前記第２の端部は、それぞれ、前記実質的に真直ぐなクロスバー部分の前記第１および第２の端部を摩擦係合するよう構成され、前記″［″成形加工されたクロスバーの幅の調整は、
前記第１のＬ字形のクロスバーおよび前記実質的に真直ぐなクロスバーの前記第２の端部における摩擦係合の調整、または、
前記第２のＬ字形のクロスバーの前記第２の端部における摩擦係合の調整、または、
前記第１のＬ字形のクロスバーおよび前記実質的に真直ぐなクロスバーの前記第２の端部における摩擦係合の調整、ならびに、
前記第２のＬ字形のクロスバーおよび前記実質的に真直ぐなクロスバーの前記第２の端部における摩擦係合の調整を含む、請求項３０に記載のスタンド。
【請求項３２】
前記複数のスロットは、
第１の上方の対のスロットを含み、それぞれの上方の対のスロットの各々はともに、実質的に水平な部分と、前記実質的に水平な部分に対して約４５゜の角度で形成される角度の付いた部分とを有し、前記複数のスロットはさらに、
第２の下方の対のスロットを含み、それぞれの下方の対のスロットの各々はともに、実質的に水平な部分と、前記実質的に水平な部分に対して約１４０゜の角度で形成される角度の付いた部分とを有する、請求項１に記載のスタンド。
【請求項３３】
各々のローラは、それぞれのロッキングレバーに回転可能に取付けられた実質的に球形のボールを含む、請求項１に記載のスタンド。
【請求項３４】
各々のローラは、それぞれのロッキングレバーに回転可能に取付けられた実質的に円筒形の回転円筒を含む、請求項１に記載のスタンド。
【請求項３５】
前記ローラは、それぞれのロッキングレバーに取付けられた摩擦低減面を含む、請求項１に記載のスタンド。
【請求項３６】
前記視認可能な物体はラップトップ型コンピュータを含み、
前記スロットは、大きさの異なる複数のラップトップ型コンピュータに対応するようユーザが前記クランプを調整することを可能にするよう構成される、請求項１に記載のスタンド。
【請求項３７】
前記搭載プラットフォームに取付けられ、前記視認可能な物体のユーザ選択可能部分を分けるよう構成された取外し可能なストラップをさらに含む、請求項１に記載のスタンド。
【請求項３８】
前記視認可能な物体は本を含み、前記ユーザ選択可能部分は本のうち少なくとも１ページを含む、請求項３７に記載のスタンド。
【請求項３９】
ユーザがスタンドに視認可能な物体を保持し見ることを可能にするための方法であって、前記スタンドは基部と、複数のスロットおよびクランプを含む概してｘ字形の搭載プラットフォームとを含み、前記クランプはローラを備えたロッキングレバーを含み、前記スタンドはさらに搭載プラットフォームカプラを含み、前記方法は、
ユーザにスタンドを提供するステップを含み、ユーザは、以下のステップにより前記視認可能な物体を保持し調整可能に見るために前記スタンドを用い、前記以下のステップは、
前記基部の高さを調整するステップと、
前記概してｘ字形の搭載プラットフォームを前記基部に結合するステップと、
前記視認可能な物体を前記概してｘ字形の搭載プラットフォーム上に位置決めするステップと、
前記クランプで前記視認可能な物体を前記搭載プラットフォームに締めるステップと、
前記搭載プラットフォームカプラを用いてユーザに対する前記搭載プラットフォームの
視野角を調整するステップと、
前記視認可能な物体の第１の部分を転がして第１および第２のクランプの下から出し、前記第１の部分を第３および第４のクランプの下に挿入して転がして、前記視認可能な物体の第２の部分およびその後の部分を視認できるようにすることにより、前記視認可能な物体の前記第１の部分を前記第１および第２のクランプから前記第３および第４のクランプへと移動させるステップとを含み、前記視認可能な物体の前記第２の部分およびその後の部分ならびに前記視認可能な物体は、前記第１の部分が移動している間、実質的に妨害されないままである、方法。
【請求項４０】
前記概してｘ字形の搭載プラットフォームに取付けられた取外し可能なストラップで前記視認可能な物体のうちユーザが選択した部分を分離するステップをさらに含む、請求項３９に記載の方法。
【請求項４１】
前記スタンドの幅を調整するステップをさらに含む、請求項３９に記載の方法。
【請求項４２】
前記ユーザは実質的に仰向けである、請求項３９に記載の方法。
【請求項４３】
各ローラは、それぞれのロッキングレバーに回転可能に取付けられた実質的に球形のボールを含む、請求項３９に記載の方法。
【請求項４４】
各ローラは、それぞれのロッキングレバーに回転可能に取付けられた実質的に円筒形の回転円筒を含む、請求項３９に記載の方法。
【請求項４５】
前記ローラは、それぞれのロッキングレバーに取付けられた摩擦低減面を含む、請求項３９に記載の方法。
【請求項４６】
前記搭載プラットフォームに取付けられた取外し可能なストラップで前記視認可能な物体のうちユーザ選択可能部分を分けるステップをさらに含む、請求項３９に記載の方法。
【請求項４７】
前記視認可能な物体は本を含み、前記ユーザ選択可能部分は本のうち少なくとも１ページを含む、請求項４６に記載の方法。
【請求項４８】
前記視認可能な物体はラップトップ型コンピュータを含み、第１の部分を移動させるステップは実行されず、前記方法はさらに、
ユーザが大きさの異なる複数のラップトップ型コンピュータに対応することを可能にするよう、それぞれのスロット内で前記クランプのうちの１つ以上の位置を調整するステップを含む、請求項３９に記載の方法。
【請求項４９】
ユーザが大きさの異なる複数の本に対応することを可能にするよう、それぞれのスロット内で前記クランプのうち１つ以上の位置を調整するステップをさらに含む、請求項３９に記載の方法。
【請求項５０】
前記基部の高さを調整するステップは、
ユーザが前記基部の高さを上げることを可能にするよう前記基部上で捩り止めを緩めることにより前記基部の高さを上げるステップと、
ユーザが前記基部の高さを下げることを可能にするよう前記基部上で前記捩り止めを緩めることにより前記基部の高さを下げるステップとを含む、請求項３９に記載の方法。
【請求項５１】
前記基部は、各々が捩り止めを含む第１および第２の基部脚と、
第１の外側チューブおよび第１の内側チューブと、
前記第１の外側チューブと前記第１の内側チューブとの間に結合されるばねとを含み、
前記基部の高さを上げるステップおよび下げるステップは、
前記ばねによって与えられる拡張力を通じて前記外側チューブに対して前記内側チューブを上げるステップと、
前記ばねによって与えられる前記拡張力を通じて前記内側チューブが降下するのを防ぐことにより前記外側チューブに対して前記内側チューブを下げるステップとを含む、請求項５０に記載の方法。
【請求項５２】
物体の下側に対し、前記スタンドに結合された調整可能な揺止め補強材を持上げ、これにより、前記視認可能な物体を前記搭載プラットフォームに搭載した状態で前記スタンドが実質的に安定し、ひっくり返るか、傾くかまたは揺れることが実質的にできなくなるように楔力を与えるステップをさらに含む、請求項３９に記載の方法。
【請求項５３】
スタンドを用いて視認可能な物体を保持し見るための方法であって、前記スタンドは、基部と、複数のスロットおよびクランプを含む概してｘ字形の搭載プラットフォームとを含み、前記クランプはローラを備えたロッキングレバーを含み、前記スタンドはさらに搭載プラットフォームカプラを含み、前記方法は、
前記基部の高さを調整するステップと、
前記概してｘ字形の搭載プラットフォームを前記基部に結合するステップと、
前記概してｘ字形の搭載プラットフォーム上に前記視認可能な物体を位置決めするステップと、
前記視認可能な物体を前記クランプで前記搭載プラットフォームに締めるステップと、
前記搭載プラットフォームカプラを用いてユーザに対する前記搭載プラットフォームの視野角を調整するステップと、
前記視認可能な物体の第１の部分を転がして第１および第２のクランプの下から出し、前記第１の部分を第３および第４のクランプの下に挿入して転がして、前記視認可能な物体の第２の部分およびその後の部分を視認できるようにすることにより、前記視認可能な物体の前記第１の部分を前記第１および第２のクランプから前記第３および第４のクランプへと移動させるステップとを含み、前記視認可能な物体の前記第２の部分およびその後の部分ならびに前記視認可能な物体は、前記第１の部分が移動している間、実質的に妨害されないままである、方法。
【請求項５４】
前記概してｘ字形の搭載プラットフォームに取付けられた取外し可能なストラップで前記視認可能な物体のうちユーザが選択した部分を分離するステップをさらに含む、請求項５３に記載の方法。
【請求項５５】
前記スタンドの幅を調整するステップをさらに含む、請求項５３に記載の方法。
【請求項５６】
前記ユーザは実質的に仰向けである、請求項５３に記載の方法。
【請求項５７】
各ローラは、それぞれのロッキングレバーに回転可能に取付けられた実質的に球形のボールを含む、請求項５３に記載の方法。
【請求項５８】
各ローラは、それぞれのロッキングレバーに回転可能に取付けられた実質的に円筒形の回転円筒を含む、請求項５３に記載の方法。
【請求項５９】
前記ローラは、それぞれのロッキングレバーに取付けられた摩擦低減面を含む、請求項５３に記載の方法。
【請求項６０】
前記搭載プラットフォームに取付けられた取外し可能なストラップで前記視認可能な物
体のうちユーザ選択可能部分を分けるステップをさらに含む、請求項５３に記載の方法。
【請求項６１】
前記視認可能な物体は本を含み、前記ユーザ選択可能部分は本のうち少なくとも１ページを含む、請求項６０に記載の方法。
【請求項６２】
前記視認可能な物体はラップトップ型コンピュータを含み、第１の部分を移動させるステップは実行されず、前記方法はさらに、
ユーザが大きさの異なる複数のラップトップ型コンピュータに対応することを可能にするよう、それぞれのスロット内で前記クランプのうち１つ以上の位置を調整するステップを含む、請求項５３に記載の方法。
【請求項６３】
ユーザが大きさの異なる複数の本に対応することを可能にするよう、それぞれのスロット内で前記クランプのうち１つ以上の位置を調整するステップをさらに含む、請求項５３に記載の方法。
【請求項６４】
前記基部の高さを調整するステップは、
ユーザが前記基部の高さを上げることを可能にするよう前記基部上で捩り止めを緩めることにより前記基部の高さを上げるステップと、
ユーザが前記基部の高さを下げることを可能にするよう前記基部上で前記捩り止めを緩めることにより前記基部の高さを下げるステップとを含む、請求項５３に記載の方法。
【請求項６５】
前記基部は、各々が捩り止めを含む第１および第２の基部脚と、
第１の外側チューブおよび第１の内側チューブと、
前記第１の外側チューブと前記第１の内側チューブとの間に結合されるばねとを含み、
前記基部の高さを上げるステップおよび下げるステップは、
前記ばねによって与えられる拡張力を通じて前記外側チューブに対して前記内側チューブを上げるステップと、
前記ばねによって与えられる前記拡張力を通じて前記内側チューブが降下するのを防ぐことにより前記外側チューブに対して前記内側チューブを下げるステップとを含む、請求項６４に記載の方法。
【請求項６６】
物体の下側に対し、前記スタンドに結合された調整可能な揺止め補強材を持上げ、これにより、前記視認可能な物体を前記搭載プラットフォームに搭載した状態で前記スタンドが実質的に安定し、ひっくり返るか、傾くかまたは揺れることが実質的にできなくなるように楔力を与えるステップをさらに含む、請求項５３に記載の方法。
【発明の詳細な説明】
【技術分野】
【０００１】
優先権
本願は、米国特許法第１１９条（ｅ）のもと、２００５年１１月８日に出願された米国仮特許出願連続番号第６０／７３４，５５３号からの利益を主張しており、その内容全体が、引用によりこの明細書中に明確に援用される。
【０００２】
発明の背景
発明の分野
この発明は本およびラップトップ型コンピュータのホルダに関する。より特定的に、この発明は、ユーザが実質的に仰向けで人間工学的に本を読むおよび／またはラップトップ型コンピュータを操作することができるように、本またはラップトップ型コンピュータを保持するためのシステムおよび方法に関する。
【背景技術】
【０００３】
背景技術
本ホルダは、かなり昔から存在していたものであり、いくつかはラップトップ型コンピュータでの使用に採用および／または適合されてきた。従来、本ホルダは、重くて使いにくく、さほど人間工学的ではない装置であり、実用性が制限されていた。たとえば、書見台は典型的には公知の本保持装置であり、立ったままで講義するときに都合の良い高さで本を支えるのに比較的有用である一方で、テーブルまたは机に着いているかまたは横になっているときには有用性がはるかに低下してしまう。外見上は比較的単純であるこれらの機械的装置を改善しようとして、長年にわたり多くのさまざまな本ホルダが開発されてきた。
【発明の開示】
【発明が解決しようとする課題】
【０００４】
加えて、コンピュータ時代が到来して以来、特にラップトップ型コンピュータが普及して以来、これらの公知の本立てまたは本ホルダの多くが、ラップトップ型コンピュータで使用できるよう改造されてきたか、または、わずかに変更されてきたが公知の欠点を克服するにはほとんど役に立たなかった。
【０００５】
コンピュータスタンドの第１の例として、１９９９年６月１５日にマーテル（Martell）に対し発行された米国特許第Ｄ４１０，９１０号（以下、「｀９１０特許」とする）が挙げられる。｀９１０特許に示されるコンピュータスタンドは、コンピュータが載っている単純で平坦な部分から構成されている点で、早くから公知であった本ホルダに類似している。この発明の当業者であれば、「本ホルダ」および「本立て」が置換え可能であり、「コンピュータ」という語が「ラップトップ型コンピュータ」を含むかまたは意味することを理解するはずである。｀９１０特許はさらに、コンピュータを垂直に保持する棚、２つの脚部および２つの基脚部分からなる。基脚部および脚部は、それらの間の角度を約０゜から約９０゜またはそれよりもわずかに小さな角度に変更するよう調整することができる。９０゜に近づくかまたは９０゜を上回ると、コンピュータがユーザに向かって前方に倒れこんでしまう。
【０００６】
１９８５年４月２３日にブラック（Black）に対し発行された米国特許第４，５１２，５４２号（以下「｀５４２特許」とする）は、選択されたページで開いた状態で本を保持するための本ホルダを説明している。｀５４２特許に記載された本ホルダは１対の長手のリムを含み、当該１対の長手のリムは、中心区域から反対方向に延在し、それらの自由端
が逆に向けられたページ係合可能指部において終端をなしており、当該ページ係合可能指部は、関連するリムと並んでそこから間隔を空けて延在している。リム同士は、相対的に調整されて指部間の間隔を変えることを可能にするような態様で結合される。本ホルダが水平に対して傾斜を付けて本を支持することを可能にするよう、支持脚部がリムに接続されてもよい。脚部は、好ましくは、当該ホルダが使用されていないときにリムおよび脚部を小型のユニットに折畳むことを可能にするように相対的にリムに対して回動する。｀５４２特許の本ホルダは収納できるよう折畳むことができるが、少なくとも、逆に向けられたページ係合可能指部の下で異なる番号のページを保持する点においては調整不可能であるといった欠点を有する。換言すれば、逆に向けられたページ係合可能指部の高さが固定されており、本を越えてそれらの高さを調整することはできない。さらに、ユーザが水平から９０゜を上回る角度で本（またはラップトップ型コンピュータ）を見ることを所望する場合に本（ラップトップ型コンピュータはいうまでもなく）を保持するための機構も存在しない。
【０００７】
１９９２年５月１２日にグリーン（Greene）に対し発行された米国特許第５，１１２，０２１号（以下、「｀０２１特許」とする）は、壁にヒンジで取付けるための（または代替的には、床上で自由に立てて支持するための）主アーム部分を含む本ホルダ装置を開示している。クラッチアセンブリ部分が主アームに取付けられ、解放可能にロッド部材を係合する。トレイブラケットがロッド部材に回動可能に接続され、本トレイ部分を回動可能に支持する。この本トレイは、トレイ基部、トレイ外周フランジおよび高さ調整可能トレイ横方向部材によって組合された接点によって当該本を支持する。｀０２１特許に開示された本ホルダは大型で扱いにくく機械的に複雑な装置であり、ユーザが仰向けの姿勢であるときには壁に取付けられなければならない。
【０００８】
１９９７年４月１日にシミングトン（Simington）に対し発行された米国特許第５，６１５，８５６号（以下、「｀８５６特許」とする）が開示している本ホルダアセンブリは、第１の側の本支持板および第２の側の本支持板を有しており、これらは、計画的に折畳み可能にされているかまたは任意に移動可能であるスタンド手段によって全体的な位置決めを行なうコネクタブラケットに取付け可能な板接続部材上において所望の角度で対向して配置されている。ページ束の厚さに別個に調整可能な第１の側のページホルダと、本の厚さに別個に調整可能な第１の側の本ホルダとは、第１の側の本支持板に取付け可能である。ページ束の厚さに別個に調整可能な第２の側のページホルダと、本の厚さに別個に調整可能な第２の側の本ホルダとは、第２の側の本支持板に取付け可能である。第１の側の本支持板の底部側における第１の側の本ホルダ溝と、第１の側の本支持板の上部側における第１の側の調整可能なクランプとが、第１の側の本保持板上において直線的な本支持部をもたらす。第２の側の本支持板の底部側における第２の側の本ホルダ溝と、第２の側の本支持板の上部側における第２の側の調整可能なクランプとが、第２の側の本保持板上において直線的な本支持部をもたらす。｀８５６特許は、それが明らかに機械的に複雑であることは別として、ページホルダに実質的に摩擦がないわけではないため、ユーザは、本のページをめくったり保持したりする際に著しい抵抗に遭遇するようである。さらに、｀８５６特許に開示された本ホルダはラップトップ型コンピュータの保持にほとんど適していない。
【０００９】
１９９９年１１月９日にホルム（Holm）に対し発行された米国特許第５，９７９，８５７号（以下、「｀８５７特許」とする）は、座った位置またはもたれかかった位置でハンズフリーで読書したり、手で補助しながらページをめくったりすることを可能にするようスタンドに取付けることのできる調整可能な本ホルダを開示している。｀８５７特許の本ホルダは、成形された透明なプラスチックまたは金属などの剛性材料からなる一体型の本支持棚および後部を提供し、その上に本が固定されており、閉位置に保持されたスイングアームの両側に取付けられた単一のある長さのモノフィラメントラインによって１ページ
以上が開いた状態で平坦に保持される。スイングアームが開位置にあればページめくりが妨げられず、その後、スイングアームは閉位置に戻される。スイングアームは、当該スイングアームに締結された自由に振動するラッチによって閉位置に保持され、本支持後部の後方に現れる。スイングアームは、当該スイングアームを押し戻すことによって開位置に動かされ、これによりラッチに対する圧力が除去されてラッチの十分な落下が可能となる。スイングアームは、本支持棚の底部と平行になるまで回転して下げられ、当該スイングアームの底部中心に堅固に接続された止め具によって制限される。当該止め具は本支持ブラケットの下側と接触して延在している。この位置では、モノフィラメントラインが本支持棚の下方にあり、このとき本のページをめくることができる。次いで、スイングアームが閉位置に戻される。｀８５７特許に開示された本ホルダは、ラップトップ型コンピュータの保持、または、さらには、ユーザが実質的に仰向けの状態で本を読むことができるような本の保持にはほとんど適していない。
【００１０】
２０００年２月２２日にゴードン（Gordon）に対し発行された米国特許第６，０２７，０９２号（以下、「｀０９２特許」とする）が開示する本立ては、人の脚の下で嵌合するよう適合された基部と、当該基部に回動可能に接続された第１のアームと、当該第１のアームに入れ子式に取付けられた第２のアームと、当該第２のアーム上に回動可能に取付けられ本を支持するための本ラックとを備える。Ｉ字型のページ押さえはラック上に回動可能に搭載され、読むために開かれた本の両側のページを保持するための横方向に延在する上方および下方の指部を含む。当該ページ押さえは、さまざまな大きさの本に対応するために、指部間の距離を調整することができるような入れ子式の部分を含む。本の照明は、ページを照らすために任意に本ラックに取付けることができる。｀０９２特許において開示された本ホルダは、ラップトップ型コンピュータの保持、またはさらには、ユーザが実質的に仰向けの状態で本を読むことができるような本の保持にはほとんど適していない。
【００１１】
２００６年８月１日にスマート（Smartt）に対し発行された米国特許第７，０８３，１５５号（以下、「｀１５５特許」とする）が開示する本立ては、回動可能で調整可能な本ホルダを有しており、当該本ホルダは、大きさの異なる開いた本の背および裏カバーを支持するために大きさを変えることできる本支持面をもたらすよう互いにわたって摺動可能な上方および下方の本支持板を備えたフレームを有する。上方の板は、開いた本の中心上縁のための留め金を有し、下方の板は本の下縁を支持する下方の棚を有しており、当該下方の棚は、読む人が仰向けの状態であっても、読むために露出された最も外側のページを係合することによりその開いた本の両側で開いたページの積重ねを捕らえるようプラグを受ける、異なる間隔を空けて配置される受口で形成される。読書中にページをめくる際、受口間のプラグを取外し動かすことにより、捕らえられたページが解放されてめくられ、受口間のプラグを動かすことにより、本の両側のページの積重ねの累積的な全体の厚さが漸進的な変化することに対応する。｀１５５特許において開示される本ホルダは、ユーザが仰向けである場合に本を保持するのに用いることができるとされているが、このような動作では扱いにくく、ユーザが仰向けの状態であるときにラップトップ型コンピュータの保持に使用するには特にほとんど適していない。
【００１２】
こうして、設定および調整が機械的に単純であり、ユーザが直立しているかまたは実質的に仰向けである場合に使用することができ、本もしくはラップトップ型コンピュータを保持しつつもユーザが実質的に容易に本のページを動かすことを可能にする、組合されたラップトップ型コンピュータおよび本のホルダが必要とされる。
【００１３】
発明の概要
したがって、この発明の全般的な目的は、先に述べたタイプの問題をなくすかまたは最小限にする組合された本ホルダおよびラップトップ型コンピュータホルダを提供することである。
【００１４】
この発明の目的は、機械的に設定が簡単であり、ユーザが直立した姿勢であるか実質的に仰向けであるかまたはその間の如何なる姿勢であることをも可能にするが、依然として、組合された本ホルダおよびラップトップ型コンピュータホルダの装置を有効かつ効率的に使用することのできる、組合された本ホルダおよびラップトップ型コンピュータホルダを提供することである。
【００１５】
この発明の別の目的は、ユーザが実質的に仰向けの状態であっても、ユーザが本およびラップトップ型コンピュータをこれらが確実に固定されるような態様で保持することを可能にする組合された本ホルダおよびラップトップ型コンピュータホルダを提供することである。
【００１６】
この発明のさらに別の目的は、ユーザが本を如何なる位置に保持することをも可能にするが、本のページを容易にめくれるようにし、組合された本ホルダおよびラップトップ型コンピュータホルダから本が脱落するか落ちるかまたは外れることのない、組合された本ホルダおよびラップトップ型コンピュータホルダを提供することである。
【課題を解決するための手段】
【００１７】
この発明の第１の局面によって、上述の欠点が克服され、いくつかの利点が実現される。この発明の第１の局面は、ユーザのために視認可能な物体を保持する際に使用されるスタンドを含み、当該スタンドは、基部と、複数のスロットおよび複数のクランプを含む搭載プラットフォームとを含み、各スロットはクランプを含み、さらに、当該クランプは視認可能な物体を概してｘ字形の搭載プラットフォームに固定するよう構成され、クランプの各々はロッキングレバーを含み、各ロッキングレバーは、要望に応じてユーザが視認可能な物体の一部を動かすことを可能にするよう構成されたローラを含み、当該スタンドはさらに、ユーザが選択可能な角度で概してｘ字形の搭載プラットフォームを基部に摩擦係合させるよう構成された搭載プラットフォームカプラを含む。
【００１８】
この発明の第１の局面に従ったスタンドはさらに、概してｘ字形の搭載プラットフォームを含み、当該搭載プラットフォームは、視認可能な物体をユーザに対して平面の関係で保持するよう構成された第１の実質的に平坦な表面と、当該第１の実質的に平坦な表面に対して実質的に平行な第２の実質的に平坦な表面と、当該第１の実質的に平坦な表面と第２の実質的に平坦な表面との間に形成された窪んだ区域とを含み、当該窪んだ区域は、視認可能な物体によって生成される過剰な熱を排出するよう構成される。この発明の第１の局面に従ったスタンドにおいては、搭載カプラは、１組の予め定められた戻り止め角のうちのいずれかで基部を摩擦係合するよう構成され、当該基部は幅および／または高さで調整されるよう構成され、さらに、複数の戻り止め角および位置が当該基部の幅および／または高さを調整するよう設けられる。
【００１９】
この発明の第１の局面に従うと、当該スタンドはさらに、基部の上方において高さで調整可能である調整可能な揺止め補強材を含み、当該調整可能な揺止め補強材は、スタンドが実質的に安定し、視認可能な物体を搭載プラットフォームに固定した結果、ひっくり返るか、揺れるかまたは傾くことが実質的にできなくなるように、物体の下側に楔力を与えるよう構成される。
【００２０】
この発明の第１の局面に従うと、当該基部は、第１の端部および第２の端部を含む第１および第２のＬ字形のクロスバーと、実質的に水平な部分および角度の付いた部分を含む第１および第２の基部脚とを含み、当該第１および第２の基部脚は、第１および第２の基部脚の角度の付いた部分において第１および第２のＬ字形のクロスバーの第１の端部を摩擦係合するよう構成され、第１および第２のＬ字形のクロスバーは、それぞれの第２の端
部において互いに摩擦係合するよう構成される。さらに、この発明の第１の局面に従うと、第１および第２の基部脚の角度の付いた部分は、実質的に水平な部分に対して約４８゜〜約６８゜の角度で形成することができ、第１および第２の基部脚の角度の付いた部分は、実質的に水平な部分に対して約５３゜〜約６３゜の角度で形成することができ、第１および第２の基部脚の角度の付いた部分は、実質的に水平な部分に対して約５８゜の角度で形成することができる。
【００２１】
この発明の第１の局面に従うと、当該基部はさらに、実質的に水平な部分を第１および第２の基部脚の各々の角度の付いた部分に回転可能に結合するよう構成された回転カプラを含み、第１および第２の基部脚の角度の付いた部分は複数の角度で調整されるよう構成され、複数の戻り止め角が、第１および第２の基部脚の角度の付いた部分を調整するよう設けられる。この発明の第１の局面に従ったスタンドにおいては、戻り止め角は約５゜で実質的に等しく間隔が空けられているか、または、実質的に等しく間隔が空けられていない。
【００２２】
さらに、この発明の第１の局面に従うと、第１および第２のクロスバーは、第１および第２の端部を有する単一のクロスバーと置換えられ、当該単一のクロスバーは、第１および第２の基部脚の角度の付いた部分を摩擦係合するよう構成され、スタンドはさらに、当該スタンドの幅を調整するための手段を備える。この発明の第１の局面に従ったスタンドの幅を調整するための手段は、第１および第２のＬ字形のクロスバーの第２の端部において摩擦係合を調整し、これにより、第１の基部脚と第２の基部脚との間の距離を調整することを含む。
【００２３】
この発明の第１の局面に従うと、当該基部は、第１および第２の端部を含む実質的に″［″成形加工されたクロスバーと、第１および第２の基部脚とを含み、当該第１および第２の基部脚は、実質的に水平な部分と、当該実質的に水平な部分に回転可能に結合された角度の付いた部分とを含み、当該第１および第２の基部脚は、それぞれ、当該第１および第２の基部脚の角度の付いた部分において実質的に″［″成形加工されたクロスバーの第１および第２の端部を摩擦係合するよう構成される。
【００２４】
この発明の第１の局面に従うと、実質的に″［″成形加工されたクロスバーは、各々が第１および第２の端部を含む第１および第２の実質的に″Ｌ″字形のクロスバー部分と、第１および第２の端部を含む実質的に真直ぐなクロスバー部分とを含み、当該″Ｌ″字形のクロスバー部分の第１の端部は、それぞれ、第１および第２の基部脚の角度の付いた部分を摩擦係合するよう構成され、″Ｌ″字形のクロスバー部分の第２の端部は、それぞれ、実質的に真直ぐなクロスバー部分の第１および第２の端部を摩擦係合するよう構成される。
【００２５】
この発明の第１の局面に従うと、第１および第２の基部脚の角度の付いた部分は、実質的に水平な部分に対して約４８゜〜約６８゜の角度を形成するよう回転させることができるか、または、第１および第２の基部脚の角度の付いた部分は、実質的に水平な部分に対して約５３゜〜約６３゜の角度を形成するよう回転させることができるか、または、第１および第２の基部脚の角度の付いた部分は、実質的に水平な部分に対して約５８°の角度を形成するよう回転させることができる。さらに、この発明の第１の局面に従うと、第１および第２の基部脚の角度の付いた部分は複数の角度で調整されるよう構成され、複数の戻り止め角が第１および第２の基部脚の角度の付いた部分を調整するよう設けられ、当該戻り止め角が約５゜で実質的に等しく間隔が空けられているか、または、戻り止め角が実質的に等しく間隔を空けられておらず、さらに、第１および第２の基部脚の各々は、さらに、実質的に水平な部分および角度の付いた部分が実質的に互いに平行になりかつ隣接するように、回転により折重なるよう構成される。
【００２６】
この発明の第１の局面に従うと、第１および第２の基部脚の各々の角度の付いた部分はさらに、第１の外側チューブと、当該第１の外側チューブにばね結合された第１の内側チューブと、第１の外側チューブと第１の内側チューブとの間のばねによってばね力が加えられた結果、第１の外側チューブに対してユーザが選択可能な高さで第１の内側チューブを保持するよう構成された捩り止めとを含む。この発明の第１の局面に従うと、当該基部はさらに、実質的に水平な部分を第１および第２の基部脚の各々の角度の付いた部分に回転可能に結合するよう構成された回転カプラを含む。
【００２７】
この発明の第１の局面に従ったスタンドにおいては、ユーザは、実質的に仰向けの位置から実質的に起上がった位置までの範囲の位置を取ることができる。
【００２８】
この発明の第１の局面に従うと、スタンドはさらに、当該スタンドの幅を調整するための手段を含み、当該スタンドの幅を調整するための手段は、″［″成形加工されたクロスバーの幅を調整するための手段を含む。この発明の第１の局面に従った″［″成形加工されたクロスバーの幅を調整するための手段は、各々が第１および第２の端部を含む第１および第２の実質的に″Ｌ″字形のクロスバー部分と、第１および第２の端部を含む実質的に真直ぐなクロスバー部分とを含み、″Ｌ″字形のクロスバー部分の第１の端部は、それぞれ、第１および第２の基部脚の角度の付いた部分を摩擦係合するよう構成され、″Ｌ″字形のクロスバー部分の第２の端部は、それぞれ、実質的に真直ぐなクロスバー部分の第１および第２の端部を摩擦係合するよう構成される。この発明の第１の局面に従うと、″［″成形加工されたクロスバーの幅の調整は、第１のＬ字形のクロスバーおよび実質的に真直ぐなクロスバーの第２の端部における摩擦係合の調整、または、第２のＬ字形のクロスバーの第２の端部における摩擦係合の調整、第１のＬ字形のクロスバーおよび実質的に真直ぐなクロスバーの第２の端部における摩擦係合の調整、ならびに、第２のＬ字形のクロスバーおよび実質的に真直ぐなクロスバーの第２の端部における摩擦係合の調整を含む。
【００２９】
この発明の第１の局面に従うと、複数のスロットは第１の上方の対のスロットを含み、それぞれの上方の対のスロットの各々はともに、実質的に水平な部分と、当該実質的に水平な部分に対して約４５゜の角度で形成される角度の付いた部分とを有し、当該複数のスロットはさらに、第２の下方の対のスロットを含み、それぞれの下方の対のスロットの各々はともに、実質的に水平な部分と、当該実質的に水平な部分に対して約１４０゜の角度で形成される角度の付いた部分とを有する。さらに、この発明の第１の局面に従うと、各々のローラは、それぞれのロッキングレバーに回転可能に取付けられた実質的に球形のボールを含むか、または、各々のローラは、それぞれのロッキングレバーに回転可能に取付けられた実質的に円筒形の回転円筒を含むか、または、さらに、ローラは、それぞれのロッキングレバーに取付けられた摩擦低減面を含む。
【００３０】
この発明の第１の局面に従うと、視認可能な物体はラップトップ型コンピュータを含み、スロットは、大きさの異なる複数のラップトップ型コンピュータに対応するようユーザがクランプを調整することを可能にするよう構成される。この発明の第１の局面に従うと、スタンドはさらに、搭載プラットフォームに取付けられ、視認可能な物体のユーザ選択可能部分を分けるよう構成された取外し可能なストラップを含む。当該視認可能な物体は本を含み、ユーザ選択可能部分は本のうち少なくとも１ページを含む。
【００３１】
この発明の第２の局面に従うと、ユーザがスタンドに視認可能な物体を保持しこれを見ることを可能にするための方法が提供され、当該スタンドは基部と、複数のスロットおよびクランプを含む概してｘ字形の搭載プラットフォームとを含み、当該クランプはローラを備えたロッキングレバーを含み、当該スタンドはさらに搭載プラットフォームカプラを
含み、当該方法はユーザにスタンドを提供するステップを含み、ユーザは、以下のステップにより当該視認可能な物体を保持し調整可能に見るためにスタンドを用い、当該以下のステップは、基部の高さを調整するステップと、概してｘ字形の搭載プラットフォームを基部に結合するステップと、視認可能な物体を概してｘ字形の搭載プラットフォーム上に位置決めするステップと、クランプで当該視認可能な物体を搭載プラットフォームに締めるステップと、搭載プラットフォームカプラを用いてユーザに対する搭載プラットフォームの視野角を調整するステップと、第１の部分を転がして第１および第２のクランプの下から出し、当該第１の部分を第３および第４のクランプの下に挿入して転がして、視認可能な物体の第２の部分およびその後の部分を視認できるようにすることにより、視認可能な物体の第１の部分を第１および第２のクランプから第３および第４のクランプへと移動させるステップとを含み、視認可能な物体の第２の部分およびその後の部分ならびに視認可能な物体は、第１の部分が移動している間、実質的に妨害されないままである。
【００３２】
この発明の第２の局面に従うと、当該方法はさらに、概してｘ字形の搭載プラットフォームに取付けられた取外し可能なストラップで視認可能な物体のうちユーザが選択した部分を分離するステップと、スタンドの幅を調整するステップとを含む。この場合、ユーザは実質的に仰向けである。
【００３３】
この発明の第２の局面に従うと、各ローラは、それぞれのロッキングレバーに回転可能に取付けられた実質的に球形のボールを含むか、または、各ローラは、それぞれのロッキングレバーに回転可能に取付けられた実質的に円筒形の回転円筒を含むか、または、当該ローラは、それぞれのロッキングレバーに取付けられた摩擦低減面を含む。
【００３４】
この発明の第２の局面に従うと、当該方法はさらに、搭載プラットフォームに取付けられた取外し可能なストラップで当該視認可能な物体のうちユーザ選択可能部分を分けるステップを含み、当該視認可能な物体は本を含み、当該ユーザ選択可能部分は本のうち少なくとも１ページを含む。この発明の第２の局面に従った視認可能な物体はラップトップ型コンピュータを含み、ここでは第１の部分を移動させるステップは実行されず、当該方法はさらに、ユーザが大きさの異なる複数のラップトップ型コンピュータに対応することを可能にするよう、それぞれのスロット内でクランプのうちの１つ以上の位置を調整するステップを含む。
【００３５】
さらに、この発明の第２の局面に従うと、当該方法はさらに、ユーザが大きさの異なる複数の本に対応することを可能にするよう、それぞれのスロット内でクランプのうち１つ以上の位置を調整するステップを含み、基部の高さを調整するステップは、ユーザが基部の高さを上げることを可能にするよう基部上で捩り止めを緩めることにより基部の高さを上げるステップと、ユーザが基部の高さを下げることを可能にするよう基部上で捩り止めを緩めることにより基部の高さを下げるステップとを含む。
【００３６】
この発明の第２の局面に従うと、基部は、各々が捩り止めを含む第１および第２の基部脚と、第１の外側チューブおよび第１の内側チューブと、当該第１の外側チューブと当該第１の内側チューブとの間に結合されるばねとを含み、基部の高さを上げるステップおよび下げるステップは、当該ばねによって与えられる拡張力を通じて外側チューブに対して内側チューブを上げるステップと、当該ばねによって与えられる拡張力を通じて内側チューブが降下するのを防ぐことにより外側チューブに対して内側チューブを下げるステップとを含む。
【００３７】
この発明の第２の局面に従うと、当該方法はさらに、物体の下側に対して調整可能な揺止め補強材を持上げ、これにより、視認可能な物体を搭載プラットフォームに搭載した状態でスタンドが実質的に安定し、ひっくり返るか、傾くかまたは揺れることが実質的にで
きなくなるように楔力を与えるステップを含む。
【００３８】
この発明の第３の局面に従うと、スタンドを用いて視認可能な物体を保持し見るための方法が提供される。当該スタンドは、基部と、複数のスロットおよびクランプを含む概してｘ字形の搭載プラットフォームとを含み、当該クランプはローラを備えたロッキングレバーを含み、当該スタンドはさらに搭載プラットフォームカプラを含み、当該方法は、基部の高さを調整するステップと、概してｘ字形の搭載プラットフォームを基部に結合するステップと、概してｘ字形の搭載プラットフォーム上に視認可能な物体を位置決めするステップと、視認可能な物体をクランプで搭載プラットフォームに締めるステップと、搭載プラットフォームカプラを用いてユーザに対する搭載プラットフォームの視野角を調整するステップと、第１の部分を転がして第１および第２のクランプの下から出し、当該第１の部分を第３および第４のクランプの下に挿入して転がして、視認可能な物体の第２の部分およびその後の部分を視認できるようにすることにより、視認可能な物体の第１の部分を第１および第２のクランプから第３および第４のクランプへと移動させるステップとを含み、視認可能な物体の第２の部分およびその後の部分ならびに視認可能な物体は、第１の部分が移動している間、実質的に妨害されないままである。
【００３９】
この発明の第３の局面に従うと、当該方法はさらに、概してｘ字形の搭載プラットフォームに取付けられた取外し可能なストラップで視認可能な物体のうちユーザが選択した部分を分離するステップと、スタンドの幅を調整するステップとを含む。この発明の第２の局面に従うと、ユーザは実質的に仰向けである。この発明の第３の局面に従ったスタンドにおける各ローラは、それぞれのロッキングレバーに回転可能に取付けられた実質的に球形のボールを含むか、または、それぞれのロッキングレバーに回転可能に取付けられた実質的に円筒形の回転円筒を含むか、または、当該ローラは、それぞれのロッキングレバーに取付けられた摩擦低減面を含む。
【００４０】
この発明の第３の局面に従うと、当該方法はさらに、搭載プラットフォームに取付けられた取外し可能なストラップで視認可能な物体のうちユーザ選択可能部分を分けるステップを含み、当該視認可能な物体は本を含み、当該ユーザ選択可能部分は本のうち少なくとも１ページを含む。
【００４１】
この発明の第３の局面に従うと、視認可能な物体はラップトップ型コンピュータを含み、ここでは第１の部分を移動させるステップは実行されず、当該方法はさらに、ユーザが大きさの異なる複数のラップトップ型コンピュータに対応することを可能にするよう、それぞれのスロット内でクランプのうち１つ以上の位置を調整するステップを含む。この発明の第３の局面に従った方法はさらに、ユーザが大きさの異なる複数の本に対応することを可能にするよう、それぞれのスロット内でクランプのうち１つ以上の位置を調整するステップを含み、基部の高さを調整するステップは、ユーザが基部の高さを上げることを可能にするよう基部上で捩り止めを緩めることにより基部の高さを上げるステップと、ユーザが基部の高さを下げることを可能にするよう基部上で捩り止めを緩めることにより基部の高さを下げるステップとを含む。
【００４２】
この発明の第３の局面にさらに従うと、基部は、各々が捩り止めを含む第１および第２の基部脚と、第１の外側チューブおよび第１の内側チューブと、当該第１の外側チューブと当該第１の内側チューブとの間に結合されるばねとを含み、基部の高さを上げるステップおよび下げるステップは、当該ばねによって与えられる拡張力を通じて外側チューブに対して内側チューブを上げるステップと、当該ばねによって与えられる拡張力を通じて内側チューブが降下するのを防ぐことにより外側チューブに対して内側チューブを下げるステップとを含む。
【００４３】
この発明の新規の特徴および利点は、以下の好ましい実施例の詳細な説明を添付の図面に関連付けて参照することにより最もよく理解されるだろう。
【発明を実施するための最良の形態】
【００４４】
好ましい実施例の詳細な説明
ここで、添付の図面に関連付けて好ましい実施例のさまざまな特徴を説明する。添付の図面においては、同様の部分は同じ参照符号で識別される。この発明を実施する現在企図される最良のモードについての以下の説明は、限定の意味に取られるべきではなく、単にこの発明の一般原則を記載する目的で提供される。
【００４５】
Ｉ．発明のいくつかの実施例の概要
この明細書中に開示されるＸＤｅｃｋ本／ラップトップ型コンピュータ（本／ラップトップ型コンピュータ）スタンド３４は、２つの主要な構成要素、すなわち、スタンド１０、６０および搭載デッキ１２を含む。搭載デッキ１２はいくつかの主要な副構成要素、すなわち、搭載プラットフォーム２、摺動クランプ４、摺動クランプスロット６および搭載プラットフォームカプラ８を含む。本／ラップトップ型コンピュータスタンド３４は少なくとも２つの異なる実施例、すなわち、短いスタンド１０および高いスタンド６０を含む。この発明の好ましい実施例に従うと、短いスタンド１０は、ユーザがベッド、長椅子、床または他の場所において部分的または完全に仰向けの姿勢で横たわっているときに用いることができる。同様に、高いスタンド６０は、椅子に座っているか、ベッド上で実質的に仰向けになっているか、立っているかまたは他の場所にいるときに用いることができる。短いスタンド１０または高いスタンド６０に取付けられた搭載プラットフォーム２は、スタンド１０および６０とユーザとの間の実質的にいかなる傾斜角にも調整可能であり、さらに、傾斜角であっても本５０またはラップトップ型コンピュータ５２を確実に保持するよう構成される。さらに、この発明の実施例に従った本／ラップトップ型コンピュータスタンド３４は、本がユーザの上方で真直ぐ下向きになっていても本を落下させるおそれなく、ユーザが実質的に容易に本のページをめくることを可能にする。
【００４６】
本／ラップトップ型コンピュータスタンド３４は、ラップトップ型コンピュータ５２のユーザ、本５０の読者、電子書籍装置（イーブック（e-books）、すなわち、Sony Reader）、ならびにコンソールビデオゲーム（すなわち、Xbox 360（登録商標）、Nintendo Wii（登録商標）、playstation2（登録商標）、およびplaystation3（登録商標））のプレーヤが、上述の媒体または機器と対話しつつ、直立に座った姿勢から実質的にまたは完全に仰向けになった姿勢までの可能な限り広い範囲の姿勢をとることを可能にする。当該装置は、快適性を向上させる位置へと迅速かつ安全に調整することができるので、本／ラップトップ型コンピュータスタンド３４のユーザは、その調整可能性によって大いに利益を得る。
【００４７】
ＩＩ．スタンド
Ａ．短いスタンド１０
図１は、この発明の第１の実施例に従った本／ラップトップ型コンピュータホルダの短いスタンド（短いスタンド）１０を示す斜視図である。図１〜図３に図示のとおり、短いスタンド１０は複数の短いスタンド構成要素１５ａ〜ｆを含む。第１および第２の短いスタンド構成要素１５ａ、ｂは実質的に水平に傾斜しており、ユーザが座っているかもたれているかまたは横たわっている（またはこれらの位置の間のどこか）床、長椅子またはベッドに載るよう意図されている。第１および第２の短いスタンド構成要素１５ａ、ｂの遠端には、それぞれ、回転カプラ６２ａ、ｂが取付けられ、これらには、第４および第６の短いスタンド構成要素１５ｄ、ｆが取付けられる。したがって、第４および第６の短いスタンド構成要素１５ｄ、ｆは、回転カプラ６２ａ、ｂのおかげで、第１および第２の短いスタンド構成要素１５ａ、ｂに対してほぼいかなる角度にも回転することができる。
【００４８】
この発明の代替的な実施例に従うと、回転カプラ６２ａ、ｂは予め設定された角度で戻り止めが与えられ得るか、または戻り止めがなくてもよい。予め設定された戻り止め角のいくつかの例は、５゜、１０゜またはさらには１５゜毎に設定された戻り止めである。戻り止め間の角度は実質的に同じでなくてもよく、たとえば、５゜で第１の戻り止め、１５゜でさらに別の戻り止め、２５゜で第３の戻り止め、等があってもよい。代替的には、回転カプラ６２ａ、ｂは、戻り止めがなく滑らかに回転可能であり、ほぼいかなる所望の角度でも設定可能である。さらに、予め設定された戻り止めであっても、回転カプラ６２ａ、ｂは、予め設定された戻り止め角の間で滑らかに調整可能であり得る。
【００４９】
第１および第２の短いスタンド構成要素１５ａ、ｂに対し、第３および第５の短いスタンド構成要素１５ｃ、ｅが摺動係合される。第３および第５の短いスタンド構成要素１５ｃ、ｅは、第４および第６の短いスタンド構成要素１５ｄ、ｆとしっかりと回転可能に係合される。第３および第５の短いスタンド構成要素１５ｃ、１５ｅと第１および第２の短いスタンド構成要素１５ａ、ｂとの間に摺動係合固定具があるために、さらに、第３および第５の短いスタンド構成要素１５ｃ、ｅが第４および第６の短いスタンド構成要素１５ｄ、ｆに取付けられているので、ラップトップ型コンピュータ５２または本５０の重量が、水平に傾斜した第１および第２の短いスタンド構成要素１５ａ、ｂに直接伝達されることとなる。第３および第５の短いスタンド構成要素１５ｃ、ｅの上方端部には、それぞれ、フリップロックレバー１７ａ、ｂが位置する。フリップロックレバー１７ａ、ｂは、第１の短いスタンド構成要素１５ａと第４の短いスタンド構成要素１５ｄとの間、そして、第２の短いスタンド構成要素１５ｂと第６の短いスタンド構成要素１５ｄとの間に所望の角度θが形成され、これにより短いスタンド１０の高さを調整することができるように、第４および第６の短いスタンド構成要素１５ｄ、１５ｆに沿って適所に第３および第５の短いスタンド構成要素１５ｃ、ｅを固定する。第１および第２のフリップロックレバー１７ａ、ｂを緩め、第３および第５の短いスタンド構成要素１５ｃ、ｅの上部分を回転カプラ６２ａ、ｂの方に押すことにより、スタンド３４が実質的に平坦に折畳まれて収納が容易になる。
【００５０】
第４および第６の短いスタンド構成要素１５ｄ、ｆの上方端部には、それぞれ、第１および第４の捩り止め１６ａ、ｄがあり、これらは、第１および第２のＬ字形の補強材１４ａ、ｂを係合し保持する。捩り止め１６は、当業者が認識し得るように、２つの別個の構成要素同士の接合を可能にし得る。捩り止めは、当該捩り止めが緩められた状態になると、第１の構成要素が第２の構成要素内でまたは当該第２の構成要素に沿って摺動することを可能にし、次いで、第１および第２の構成要素の相対的な位置決めが完了すると、捩り止めが締められて、２つの構成要素が結合され得る。捩り止めの上述の説明は単に例示的なものに過ぎず、限定することを意図するものではなく、公知の捩り止めのためのすべての異なる手段がこの発明のさまざまな実施例に含まれると考えられる。第１および第２のＬ字形の補強材１４ａ、ｂの遠端には第２および第３の捩り止め１６ｂ、ｃがあり、これらが第６の短いスタンド構成要素１５ｇに係合する。第６の短いスタンド構成要素１５ｇには搭載カプラ８を介して搭載プラットフォーム２が結合される。これらはともに以下においてさらに詳細に説明される。捩り止め１６ａ、ｄならびに第１および第２のＬ字形の補強材１４ａ、ｂの正味の効果は、短いスタンド１０の高さを当該構成要素の設計限界内の所望の高さに調整する能力をユーザに与えることである。
【００５１】
この発明の好ましい実施例に従うと、ユーザが本／ラップトップ型コンピュータスタンド３４を用いて本５０を読むことを欲する場合、ユーザは本５０を搭載プラットフォーム２上に設置し、これをクランプ４ａ〜ｄで固定する。これは以下において詳細により十分に記載される。本の高さを最も適切なものにするために、第３および第５の短いスタンド構成要素１５ｃ、ｅは、水平な部分と角度の付いた部分との間の角度（第１の短いスタン
ド構成要素１５ａと第４の短いスタンド構成要素１５ｄとの間、および、第２の短いスタンド構成要素１５ｂと第６の短いスタンド構成要素１５ｆとの間の角度を約５８゜にまで押すよう操作される。次いで、フリップロック１７ａ、ｂを用いて、所望の位置で第３および第５の短いスタンド構成要素１５ｃ、ｅをロックすることにより、第１の短いスタンド構成要素１５ａと第４の短いスタンド構成要素１５ｄとの間、および、第２の短いスタンド構成要素１５ｂと第６の短いスタンド構成要素１５ｆとの間において所望の角度が設定される。本／ラップトップ型コンピュータスタンド３４上で本５０の高さを微調整するために、ユーザは、次いで、入れ子式のＬ字形の補強材１４ａ、ｂを所望の高さに伸ばすことができる。
【００５２】
この発明のさらなる代替的な実施例に従うと、予め設定された戻り止めを第４の短いスタンド構成要素１５ｄと第１のＬ字形の補強材１４ａとの間、および、第６の短いスタンド構成要素１５ｆと第２のＬ字形の補強材１４ｂとの間に設けることができる。（０．５″、１．０″または他の増分での）予め設定された戻り止めは、ユーザが安全かつ迅速に短いスタンド１０の高さを調整するのを支援し得る。さらに、高さ調整は、ユーザが短いスタンド１０の高さを上げ、重量のあるラップトップ型コンピュータ５２のせいで短いスタンド１０があまりにも急に降下するのを実質的に防ぐことを支援するために２つのばね（両側に１つずつ）を供えることでさらに支援され得る。ばねの代りに、この発明の代替的な実施例では、空気圧シリンダを用いて、ユーザが短いスタンド１０の高さを安全かつ迅速に調整することを支援し得る。
【００５３】
たとえば、短いスタンド１０の側面図である図３から分かるように、ユーザは短いスタンド１０を約１２″〜１４″の高さにまで上げることができる。短いスタンド１０を拡大した構成で示す側面図である図５においては、ユーザは当該高さを約２４″〜３０″にまで上げることができる。当業者が理解し得るように、短いスタンド１０のいかなる所望の高さも、短いスタンド構成要素１５ａ〜ｇの最適なサイジング、フリップロックレバー１７ａ、ｂの使用、および入れ子式のＬ字形の補強材１４ａ、ｂの使用によって達成することができる。
【００５４】
さらに、短いスタンドの幅は、第２および第３の捩り止め１６ｂ、ｃならびに第６の短いスタンド構成要素１５ｇを用いることによって変更することができる。第２または第３の捩り止め１６ｂ、ｃのいずれかまたは両方を緩めることにより、第６の短いスタンド構成要素１５ｇを第１および第２のＬ字形の補強材１４ａ、ｂのいずれかまたは両方に引込むかまたはそこから引出すことができる。この発明の好ましい実施例に従うと、ベッドに横たわっている典型的なユーザは、短いスタンドの高さを約１２″〜１４″に、そして幅を約２８″に調整するだろう。第１のおよび第２の短いスタンド構成要素１５ａ、ｂの各々の長さは、この発明の好ましい実施例に従うと、約２４″である。この発明の好ましい実施例は、長さが２０″の短いスタンド構成要素１５ｇを援用しているが、代替的な実施例は、長さがそれよりも短いかまたは長い短いスタンド構成要素１５ｇを援用し得る。さらに、短いスタンド構成要素１５ｇは複数の連結部品からできていてもよい。図２は、短いスタンド１０の正面図を示し、図４は図１に示される短いスタンド１０の上面図を示す。
【００５５】
図２６は、この発明の別の実施例に従った異なるタイプの短いスタンド１０（以下、「短いスタンド１０′」と称される）の正面図を示し、図２７は、短いスタンド１０′の側面図を示す。短いスタンド１０′は短いスタンド１０に類似しているが、わずかに異なる構成要素でできている。短いスタンド１０′は第１および第２の短いスタンド構成要素１５ａ′、ｂ′を含み、これらはともに、実質的に水平な部分および角度の付いた部分を有する。こうして、短いスタンド１０′の短いスタンド構成要素１５ａ′、ｂ′の水平な部分と角度の付いた部分との間の角度は、この発明の実施例に従うと、製造時に固定するこ
とができる。この発明の好ましい実施例に従うと、第１および第２の短いスタンド構成要素１５ａ′、ｂ′の実質的に水平な部分と角度の付いた部分との間の角度は約５８゜である。この発明のさらなる実施例に従うと、回転カプラ６２ａ、ｂは、短いスタンド構成要素１５ａ′、ｂ′の水平な部分と角度の付いた部分との間に挿入可能であり、これにより、水平な部分と角度の付いた部分との間の角度を予め設定された可変角度または一定の角度で、連続的に、または戻り止めを用いて、調整することができる。短いスタンド１０′はさらに、第１および第２のＬ字形の補強材１４ａ′、ｂ′と係合される第１および第３の捩り止め１６ａ′、ｃ′を含む。しかしながら、第１のＬ字形の補強材１４ａ′と第２のＬ字形の補強材１４ｂ′との間に付加的な短いスタンド構成要素１５ｇ′を備えるのではなく、それらは第２の捩り止め１６ｂ′を介して接続される。搭載プラットフォーム２は、搭載カプラ８を介して第１および第２のＬ字形の補強材１４ａ′、ｂ′のいずれかに取付けられる。図２７は、ラップトップ型コンピュータ５２が確実に保持されている短いスタンド１０′の側面図を示す。戻り止めおよびばねの使用は、短いスタンド１０に関して上述したとおり、短いスタンド１０′にも同様に適用される。
【００５６】
短いスタンド１０または１０′の代替的な実施例では、調整可能な読書灯（他の可能性としてＬＥＤ（発光ダイオード）またはハロゲン）を、図１に図示のとおり、短いスタンド構成要素１５ａ、ｂおよび／または１５ｄ、ｆに援用する。これらの灯は、たとえば電池または通常の家庭用の電気設備（１２０ボルトＡＣ）によって電力供給され得る。
【００５７】
図２９は、この発明の実施例に従った、ラップトップ型コンピュータ５２を保持するＸＤｅｃｋ本／ラップトップ型コンピュータスタンド３４の正面斜視図を示す。ラップトップ型コンピュータ５２は、ユーザが人間工学的に実質的に仰向けに横たわった状態で、容易かつ快適にラップトップ型コンピュータ５２を操作することができるように、クランプ４ａ〜ｄによって適所に確実に保持される。図３０は、この発明の実施例に従って本５０を保持するＸＤｅｃｋ本／ラップトップ型コンピュータスタンド３４の正面斜視図を示す。本５０は、ユーザが人間工学的に実質的に仰向けに横たわり、その頭部を自身が横たわった表面上で実質的に平らにした状態で本５０を容易かつ快適に読むことができるように、クランプ４ａ〜ｄによって適所に確実に保持される。さらに図３０に示されるブックストラップ５４は、以下により詳細に説明されるが、この発明の実施例に従った搭載プラットフォーム２に対して本５０を保持するのを支援する。
【００５８】
Ｂ．高いスタンド６０
図６Ａは、この発明の別の実施例に従った本／ラップトップ型コンピュータホルダの高いスタンド（高いスタンド）６０の斜視図を示す。上述のとおり、高いスタンド６０は、この発明の好ましい実施例に従って、立っているかまたはベッド上に横たわっているユーザによって使用され得る。高いスタンド６０は、高いスタンド基部６４、第１の高いスタンド構成要素６６ａ、第１の捩り止め１６ａ、第２の高いスタンド構成要素６６ｂ、第２の捩り止め１６ｂ、Ｌ字形の補強材１４ａ、第３の捩り止め１６ｃ、調整可能な揺止め補強材７６、および、短いスタンド構成要素１５ｇと同一である第３の高いスタンド構成要素６６ｃを含む。搭載プラットフォーム２は、搭載カプラ８を介して、実質的に水平である第３の高いスタンド構成要素６６ｃに結合される。ユーザは、第１および第２の捩り止め１６ａ、ｂによって高いスタンド６０の高さを調整することができ、搭載カプラ８によって、または捩り止め１６ｃを介して搭載プラットフォーム２の最終的な配置を調整して、第３の高いスタンド構成要素６６ｃを伸ばすかまたは引込めることができる。戻り止め、ばねおよび空気圧シリンダの使用は、短いスタンド１０および短いスタンド１０′に関して上述したとおり、高いスタンド６０の構造およびアセンブリにも同様に適用される。
【００５９】
この発明の好ましい実施例に従うと、ユーザは、ベッドの側に隣接して立っている高いスタンド構成要素６６ａ、ｂ、第３の高いスタンド構成要素６６ｃおよび搭載プラットフ
ォーム２がベッドの上に延在するように、ベッドの下に高いスタンド基部６４を配置することができる。調整可能な揺止め補強材（補強材）７６ａは、図６Ａ、図７および図８に図示のとおり、高いスタンド構成要素６６ａに対して実質的に垂直であり、高いスタンド構成要素６４に対して実質的に平行である。補強材７６ａは、高いスタンド６０の安定性をさらに向上させるために椅子またはベッドの下側に上向きの圧力を加えるよう調整することができる。補強材７６ａは、高いスタンド構成要素６６ａに摺動係合するか、または、上下に摺動してベッドの下側に係合する基部６４に固定されたＬ字形の構成要素として作製される。この発明の好ましい実施例においては、補強材７６ａは高いスタンド構成要素６６ａ内から突出し、戻り止め、ばねおよび空気圧シリンダを用いることにより、ユーザは補強材７６をベッドの下においてはまり込むように上げるかまたは下げることができる。補強材７６ａがベッドの下側に対し上向きの力を加えると、基部６４が床に押し下げられ、高いスタンド６０にとって実質的に確実な足場が利用可能となる。８〜１０ポンドのラップトップ型コンピュータと結合された高いスタンド６０の高さでは、たとえば、補強材７６ａを使用しない場合、高いスタンド６０が転倒し易くおよび／またはぐらつき易くなる可能性がある。戻り止め、ばねおよび空気圧シリンダの使用は、短いスタンド１０および短いスタンド１０′に関して上述したとおり、補強材７６ａにも同様に適用される。随意には、高いスタンド６０は補強材７６ａなしでも作製可能である。図６Ｂは、この発明の実施例に従った、補強材７６ｂを備えた高いスタンド６０の代替的な実施例を示す。補強材７６ｂは補強材７６ａと実質的に同様に動作するので、簡潔にするためにその動作の詳細な説明は省略する。図６Ｃは、ベッドまたは椅子の下側に力を加えている、高いスタンド６０ａ上の補強材７６ｂを示す。補強材７６ｂによって上向きの力が加えられ、基部６４によって下向きの力が加えられた結果、高いスタンド６０ａは実質的に静止かつ安定し、振動または転倒なしに、搭載プラットフォーム８上のたとえばラップトップ型コンピュータ５２などの大きな重量を支持することができる。補強材７６ａと基部６４との組合せは調整可能な楔として想定されてもよい。図７は高いスタンド６０の正面図を示し、図８は高いスタンド６０の側面図を示し、図９は高いスタンド６０の上面図を示す。図７〜図９は、補強材７６ａを供えた高いスタンド６０を示しているが、但し、当業者が認識し得るように、補強材７６ｂも同様に使用可能であるか、または、補強材７６ａ、ｂは高いスタンド６０とともに使用することができない。
【００６０】
図１０Ａ〜Ｆは、この発明のさらなる実施例に従った、高いスタンド６０のいくつかの異なる実施例の斜視図を示す。図１０Ａには、この発明の代替的な実施例に従った高いスタンド６０ｂが示されており、第４の高いスタンド構成要素６６ｄ、１８″の伸長チューブが、第１および第２の高いスタンド構成要素６６ａ、ｂならびに第１の捩り止め１６ａの代わりとなる。図１０Ｂ〜Ｆは、この発明の代替的な実施例に従った高いスタンド基部６４のさまざまな実施例を示す。図１０Ａ〜Ｆは補強材７６ａ、ｂを含んでいないが、この発明の当業者であれば、図１０Ａ〜Ｆに示される高いスタンド６０の代替的な実施例で補強材７６ａ、ｂを用いることがこの発明の実施例の範囲内であることを認識し得る。
【００６１】
この発明の代替的な実施例に従うと、ユーザは、マットレスの側に隣接して立っている高いスタンド構成要素６６ａ、ｂと第３の高いスタンド構成要素６６ｃと搭載プラットフォーム２とがベッドの表面上に延在するように、典型的なベッドのマットレスとボックススプリングとの間に高いスタンド基部６４を配置し得る。この発明のさらに別の代替的な実施例に従うと、高いスタンド６０は、図６に図示のとおり、高いスタンド構成要素６６ａ、ｂおよび／または１４ａ上の予め定められた地点に取付けることのできる調整可能な読書灯（他の可能性としてＬＥＤまたはハロゲン）を援用する。これらの灯は、たとえば電池または通常の家庭用の電気設備（１２０ボルトＡＣ）によって電力供給され得る。
【００６２】
ＩＩＩ．搭載デッキ１２
上述のとおり、搭載デッキ１２は、いくつかの主要な副構成要素、すなわち、搭載プラ
ットフォーム２、摺動クランプスロット６、摺動クランプ４、および搭載プラットフォームカプラ８を含む。各々を以下に詳細に説明する。
【００６３】
Ａ．搭載プラットフォーム２
図１１ＡおよびＢは、この発明の実施例に従った搭載プラットフォーム２の正面斜視図を示す。搭載プラットフォーム２は、この発明の好ましい実施例に従うと、プラスチック、たとえば、ポリカーボネート、レキサン（ｌｅｘａｎ）、アクリル樹脂、高密度ポリエチレン（ＨＤＰＥ）またはポリ塩化ビニル（ＰＶＣ）から作られてもよい。この発明の代替的な実施例に従うと、木材または金属を用いて搭載プラットフォーム２を製造することもでき、またはさらには、セラミックス、ガラス、複合材料（すなわち炭素繊維）、ガラス繊維、厚紙、パーティクルボード、またはさらには、大理石もしくは花崗岩などの切出された材料が用いられてもよい。図１１〜図１４および図２５Ａ〜Ｆに示される搭載プラットフォーム２は概してＸ字形であるが、これは必ずしもそうである必要はない。たとえば、搭載プラットフォーム２は、図２５Ｇ〜Ｓに図示のとおり、長方形、円形、正方形、楕円形または他の多くの異なる形状もしくは設計として製造されてもよい。搭載プラットフォーム２は前側６８、後ろ側７０、摺動クランプスロット６ａ〜ｄ、搭載プラットフォームの窪んだ区域（窪んだ区域）７２および搭載カプラアクセス区域（アクセス区域）７４を含む。図１２は、図１１に示される搭載プラットフォームの背面斜視図を示し、図１３は、図１１に示される搭載プラットフォームの正面図を示す。
【００６４】
Ｃ．通風区域７２
通風区域７２は、図１４Ａ〜Ｄに図示のとおり、搭載プラットフォーム２に搭載することのできるラップトップ型コンピュータ５２の下およびその周りで冷却空気を循環させることを可能にするよう設計される。図１４Ａ〜Ｄは、この発明のさまざまな実施例に従った、図１１に示される搭載プラットフォーム２のいくつかの実施例のいくつかの左側面図を示す。ラップトップ型コンピュータ５２は、これらを使用する人には周知のとおり、その電力使用量のせいで多大な熱を発生させる。充電可能な電池（一般に、ニッケル水素電池パック、リチウムイオン電池パック、もしくは近い将来には、燃料電池）または外部電源によって大量の電力が供給される。２ＧＨｚを超える周波数で作動する高速回路、特にマイクロプロセッサのために大量の電力が必要とされる。電力使用量が高ければ大量の熱が生じることとなる。回路および電池によって生じた大量の熱は、対流、伝導および放射によって除去される。対流による熱の除去は、ラップトップ型コンピュータ５２に配置された小型のファンを通じて最も効率的に達成される。電池および回路からラップトップ型コンピュータのケースおよびヒートシンクへの直接的な伝導によっても熱が除去されるが、この場合、対流冷却も発生している。放射された熱エネルギがラップトップ型コンピュータのケースおよびヒートシンクと接触し、伝導および／または対流によって除去されるので、放射による冷却は一般に、結果としてさらなる伝導冷却をもたらすこととなる。搭載プラットフォーム２上の窪んだ区域７２は、ラップトップ型コンピュータ５２が発生させた熱が当該ケースの下方の面から本質的に開いた区域に放射されることを可能にし、次いで、熱が周囲大気に放散し得る。図１４ＣおよびＤは、異なる形状の通風区域７２を備えた搭載プラットフォーム２のさまざまな実施例を示す。図１４Ｃに図示のとおり、窪んだ区域７２は、概して凹状の搭載プラットフォーム２によって形成され、図１４Ｄにおいては、複数の通風区域７２ａ〜ｄが搭載プラットフォーム２において形成される。さらに、通風区域７２に関連して、または搭載プラットフォーム２が一定の厚さであるこの発明の代替的な実施例の一部として、搭載プラットフォーム２は、冷却をさらに促進するようさまざまな形状および大きさの穴で穿孔することもできる。この発明のさらなる実施例に従うと、搭載プラットフォーム２は、たとえば、電池、通常の家庭用ＡＣ電流によって、または、ラップトップ型コンピュータ５２に接続されたＵＳＢポートおよびケーブルを介してラップトップ型コンピュータに供給される電力によって、電力供給され得る冷却ファンを援用し得る。
【００６５】
Ｂ．摺動クランプスロット６
図１、図２、図６、図７、図１１、図１２、図１３、図２５Ａ〜Ｆおよび図２６を参照すると、摺動クランプスロット６ａ〜ｄが示される。摺動クランプスロット（スロット）６ａ〜ｄは、本５０またはラップトップ型コンピュータ５２を搭載プラットフォーム２上に保持するよう摺動クランプ４ａ〜ｄを最良の位置に配置することを可能にする搭載プラットフォーム２における切抜かれた区域である。この発明の好ましい実施例に従うと、スロット６ａ〜ｄは、搭載プラットフォーム２の製造中に意図的に開いたままにされる区域である。この発明の代替的な実施例に従うと、搭載プラットフォーム２が木もしくは金属、またはさらにはプラスチックで作られている場合、スロット６ａ〜ｄは切取られていてもよい。図２５Ａ〜Ｆに示したように、多くのさまざまな代替的な設計がスロット６ａ〜ｄに対して可能であるが、これらの例示は、この発明の実施例の範囲内であると考えられるすべての実現可能な変形例を包含するよう意図されたものではない。この発明のさらに好ましい実施例に従うと、スロット６ａ〜ｄの数は４であるが、この発明の代替的な実施例に従ってわずかに１つだけが用いられてもよく、または、搭載プラットフォーム２の設計、審美観または他の考慮事項に応じて、５つ以上が用いられてもよいが、これらはすべて、この発明のさまざまな実施例の範囲内であると考えられる。スロット６ａ〜ｄの使用について、摺動クランプ４ａ〜ｄに関連付けて以下に説明する。
【００６６】
Ｄ．摺動クランプ４
搭載プラットフォーム２自体は一定の寸法（好ましい形状として「スクワットの（squat）」Ｘ）であるが、スロット６内における摺動クランプ４の調整可能性は、装置の中でも、ラップトップ型コンピュータ５２、本５０、ビデオゲームおよびサイズの異なるＬＣＤモニタを含むがこれらに限定されない多くのさまざまな装置が本／ラップトップ型コンピュータスタンド３４によって保持されることを可能にする。図１５〜図１８に図示のとおり、摺動クランプ４は、形状および動作が「クイックリリース」式の自転車シートのポストクランプに似ている。摺動クランプ４はいくつかの構成要素、すなわち、成形されたロッキングレバー（ロッキングレバー）２６、クランプポスト１８、ワッシャ２０ａ、ｂ、（クランプポスト１８の反対側の端部に付いている）ナット２４、摺動クランプハンドル２７、および回転ボール４８を含む。
【００６７】
摺動クランプを用いるために、ユーザは、実質的にクランプポスト１８と一列に並び、それに対して平行になるまでロッキングレバー２６を矢印Ａ（図１７Ａ）の方向に上向きに回転させることにより張力を解放する。矢印Ａの方向にロッキングレバー２６を回転させるために、ユーザは、ロッキングレバー２６の最も外側の部分２９に位置する摺動クランプハンドル２７に指を挿入することができる。ロッキングレバー２６の円形の球根状部分（「解放点」）２８がクランプポスト１８に到達すると一般にロッキングの張力が解放される。その時点で、摺動クランプ４の有効長さがその閉じた状態またはロックされた状態から増大する。次いで、摺動クランプ４は、スロット６内のいかなる所望の位置へも実質的に容易に摺動され得る。摺動クランプ４をロックするために、ユーザは、摺動クランプ引張り点３０がカラー２０ａに到達するまで、矢印Ｂ（図１７Ａ）の方向にロッキングレバー２６を回転させる。その時点で、摺動クランプ４はその最大引張り点に位置している。この発明の好ましい実施例に従うと、好ましくはロッキングレバー２６とクランプポスト１８との間に設けられ、本５０および／またはラップトップ型コンピュータ５２を搭載プラットフォーム２にロックするのに十分な張力をなおも維持するはずである角度はクランプポスト１８に対して垂直な線の上方で約３０゜ほどの大きさになり得る（クランプポスト１８の上部に対して垂直な想像線が引かれた場合、ロッキングレバー２６は当該想像線の約＋／−１５゜以内でなければならない）。当然、本５０を読むときに、時として、必要に応じてクランプポスト１８の有効長さを増大または低減させることにより摺動クランプ４ａ〜ｄの下でページ数が増加または低減すると、ユーザは、当該摺動クランプ４
ａ〜ｄすべての有効な引張り点を調整しなければならなくなる。有効長さは、搭載プラットフォーム２の後ろ側７０のワッシャと、ロッキングレバー２６がクランプポスト１８に取付けられている地点との間の距離である。
【００６８】
搭載プラットフォーム２から摺動クランプ４をすべて容易に取除くことができるが、操作上、それらを調整するためにこれを行なう必要はない。ロッキングレバー２６およびクランプポスト１８の大部分は、搭載プラットフォーム２の上部から突出し、搭載プラットフォーム７０の後ろ側においてナット２４によってスロット６内に保持される。搭載プラットフォーム２の正面および後面６８、７０の両方に接しているカラー２０ａ、ｂは、好ましくはゴムもしくはプラスチック材料でできているか、または任意には、さまざまな種類の金属でできており、摺動クランプ４と搭載プラットフォーム２との間にいくらかの圧縮および摩擦をもたらす。こうして、ロッキングレバー２６は、最初のページまたは最後のページであっても、本５０のうちの１ページさえも有効に適所に保持することができる。
【００６９】
摺動クランプ４ａ〜ｄの設計は、上述のとおり、単にロッキングレバー２６を緩めることによりスロット６ａ〜ｄ内での自由で容易な動きを可能にする。摺動クランプ４が所望の位置に動かされると、「閉じる」ロッキングレバー１８が摺動クランプ４を搭載プラットフォーム２に締付け、剛性の保持点をもたらして、ラップトップ型コンピュータ５２、ＬＣＤモニタまたは本５０のページを固定する。摺動クランプ６は成形されたプラスチック、金属または他の材料から製造することができる。上述のとおり、部分的には審美観による判断と保持すべき物体の重量／大きさとによって決定されるように、最低でも１つの摺動クランプ４、または４つ以上もの摺動クランプがあってもよい。この発明の好ましい実施例に従うと、上述の図面に図示のとおり、４つの摺動クランプ４ａ〜ｄはそれぞれのスロット６ａ〜ｄ内で完全に互いから独立して動作するが、一斉に作動して所望の保持機能をもたらす。
【００７０】
図１７Ａは、摺動クランプ４の代替的な実施例の側面図を示し、図１７Ｂは、この発明の好ましい実施例に従った回転ボール４８を示す、図１７Ａに図示の摺動クランプ４の一部の拡大側面図を示す。回転ボール４８は、ロッキングレバー２６の最も外側の部分２９において部分的に球形の穴内に摩擦により保持されるかまたは圧入される実質的に球形のボールである。回転ボール４８は、摺動クランプ４によって保持されているときにユーザが本５０の一方側から他方側へとページを滑らせることを可能にする実質的な摩擦低減面を備える。ユーザが本５０および本のページを保持する際、回転ボール４８は本のページに直接接触して押下げる。そのページを読み終わった後にめくるために、ユーザはロッキングレバー２６の下からページを滑らせて出す。というのも、回転ボール４８は、ページがその下から引出されるとき回転するからである。同様に、ユーザは、現在めくられたページを、本５０の反対側に位置するロッキングレバー２６とそれらの回転ボール４８との下で滑らせることにより本５０の反対側に位置付けることができる。回転ボール４８はまた、図示のとおり、図１５、図１６および図１８に示される摺動クランプ４において用いることができる。この発明のいくつかの代替的な実施例に従うと、回転ボール４８は、実質的な摩擦低減材料、たとえば、プラスチック、さまざまな種類のガラス、ステンレス鋼および他の金属、または紙製品などと置換えられてもよい。さらに、回転ボール４８は、図１８Ｂに図示のとおり、回転円筒４８ａまたはビード状の装置４８ｂであってもよく、その各々は軸Ａ−Ａを中心に回転する。
【００７１】
Ｅ．搭載プラットフォームカプラ８
ここで図１２を参照すると、搭載プラットフォーム２および搭載プラットフォームカプラ８の背面斜視図が示される。搭載プラットフォームカプラ（カプラ）８は図１９〜図２２により詳細に示される。カプラ８は、（特に、図１および図６に図示のとおり）搭載プ
ラットフォーム２をスタンド１０、６０に調整可能に回転可能に接続する。カプラ８はいくつかの副構成要素、すなわち、カプラリング３６ａ、ｂ、カプラクランプ３８ａ、ｂ、第１の部分のカプラ基部４０、および第２の部分のカプラ基部４２を含む。この発明の好ましい実施例に従うと、カプラ８は、ねじ４４ａ、ｂまたは接着剤４６によって搭載プラットフォーム７０の後ろ側に結合され得るかまたは直接取付けられ得る第１の基部分４０だけを含み得る。接着剤４６は、カプラ８および搭載プラットフォーム２を製造する材料を接着させるのに適したいかなる種類の適切な接着材料をも含む。カプラ８はまた、図２１に図示のとおり、第１および第２のカプラ基部分４０、４２を介して、そして、この発明の別の実施例に従うと接着剤４６によって、搭載プラットフォーム２に取付けることができる。ねじ４４ａ、ｂは、第２の部分のカプラ基部４２を搭載プラットフォーム７０の後ろ側に保持し、次いで、接着剤４６が第２の部分のカプラ基部４０を第１の部分のカプラ基部４２に保持することにより、カプラ８が搭載プラットフォーム２に固定される。
【００７２】
本／ラップトップ型コンピュータスタンド３４の最終的な組立て前に、ユーザは、カプラリング３６ａ、ｂ（たとえば、図１に図示のとおり、短いスタンド基部構成要素１５ｇ）を通じて短いまたは高いスタンド１０、６０の構成要素のうちの１つを摺動させ、本／ラップトップ型コンピュータスタンド３４の組立てを完了させる。カプラクランプ３８ａ、ｂが図１９に示される位置にある場合、搭載プラットフォーム２は基部構成要素を中心に自由に回転する。次いで、ユーザは、スタンド１０、６０に対する所望の位置または角度でプラットフォーム２を位置決めし、図２０に図示のとおり、基部構成要素カプラクランプ３８ａ、ｂの方へ押込むことによって適所に搭載プラットフォームを締める。カプラクランプ３８ａ、ｂは搭載プラットフォーム２を意図した位置で基部構成要素に締め、次いで、ユーザが本５０、ラップトップ型コンピュータ５２または他の装置を搭載プラットフォーム２上に配置し、それらを（スロット６ａ〜ｄにおいて摺動させて）それぞれ適所に置いた後に摺動クランプ４で適所にロックし得る。この発明のさらなる実施例に従うと、予め定められた角度戻り止めは、たとえば５゜、１０゜、１５゜毎などで設けられてもよい。角度戻り止めは角度のいかなる組であってもよく、戻り止めごとの量は同じでなくてもよい。この発明の当業者が認識し得るように、さまざまな戻り止め角の組がこの発明のいくつかのさまざまな実施例の範囲内にあると考えられる。図２２は、この発明の好ましい実施例に従ったカプラ８の詳細な側面図である。
【００７３】
この発明の好ましい実施例に従うと、カプラクランプ３８ａ、ｂをともに緩めることにより、搭載プラットフォーム２の回転に対して比較的わずかな抵抗がもたらされるかまたは抵抗が全くもたらされない。カプラクランプ３８ａまたは３８ｂを閉じることで、より大きな回転摩擦がもたらされ、これにより、ラップトップ型コンピュータ５２を搭載している場合でも、或る位置への保持が困難になるおそれなしに、ユーザが搭載プラットフォーム２を回転させることができるようになる。すなわち、カプラクランプ３８ａ、ｂを閉じることにより、搭載プラットフォーム２を、移動または回転し得るが自由には回転しない比較的静止した状態に保つのに十分な保持力が与えられる。
【００７４】
Ｆ．ブックストラップ
図２３Ａは、この発明の実施例に従った本／ラップトップ型コンピュータスタンド３４とともに用いられる第１のブックストラップ５４ａの正面図を示す。ブックストラップ５４ａを用いることにより、本／ラップトップ型コンピュータスタンド３４上での本５０の保持が容易になる。図２３に図示のとおり、ブックストラップ５４ａは、好ましくは半透明材料の単一部品、この発明の好ましい実施例に従うと、ネオプレンを含むビニルまたは他の合成ポリマーなどの透明な可塑化された材料から形成される。しかしながら、この発明の当業者が認識し得るように、ブックストラップ５４ａは、それらが半透明であろうとなかろうと、革、織物、布、動物の皮、紙または他の材料を含むがこれらに限定されない実質的に可撓性のある如何なる材料からも作ることができる。ブックストラップ５４ａを
用いるために、ユーザは、まず、本５０を本／ラップトップ型コンピュータスタンド３４上に置き、これを上述の（および図２６に関連した下記の）方法にしたがって固定し、次いで、ユーザが現時点で読むと考えられるページの部分を隔離する。次いで、ユーザは、開いた区域５６を通じて選択されたページのグループを挿入し、本５０の上部および本／ラップトップ型コンピュータスタンド３４を越えて搭載プラットフォーム６８の後ろ側に位置する上方の固定点にまで第１および第２のストラップ５８ａ、ｂを配置し、本５０の底部および本／ラップトップ型コンピュータスタンド３４の下において、搭載プラットフォーム６８の後ろ側に位置する下方の付加的な固定点にまで第３および第４のストラップ５８ｃ、ｄを配置する。ブックストラップ５４ａのもつ効果は、（図２４Ａに図示のとおり）本５０のうちの数ページを分離し、本５０を本／ラップトップ型コンピュータスタンド３４の上に保持するのを助けることである。第１〜第４のストラップ５８ａ〜ｄを搭載プラットフォーム６８の後ろ側に配置し固定した後、摺動クランプ４の１つ以上のロッキングレバー２６の回転ボール４８の下にページが配置される。ここで、ユーザは保持された本を読む準備ができ、図２４Ｂに図示のとおり、本の一方側から他方側に容易にページを移動させることができる。図３３Ｂに図示のとおり、この発明の好ましい実施例に従うと、ブックストラップ５４ｂは、該して長方形の開いた区域５６を備えており、本５０のページを内部に嵌まり込ませている。ブックストラップ５４ｂは、本５０および搭載プラットフォーム２と相互作用してブックストラップ５４ａと同様に作用する。好ましい実施例に従うと、穴５５は、図２３Ｂに図示のとおり、ブックストラップ５４ｂの各側部および両端において約５″に対して１／２″の間隔をあけて配置されている。この発明のさらに別の実施例に従うと、ブックストラップ５４ａ、ｂは、両側が本の左側と右側との厚さの違いに対応できるように、わずかな可撓性を備えて成形された剛性材料から構成され得る。この発明のさらなる実施例に従うと、ブックストラップ５４ａ、ｂは１つ、２つまたはそれ以上の別個の構成要素、たとえば左側および右側のストラップから作製することができる。
【００７５】
ＩＶ．ＸＤｅｃｋ本／ラップトップ型コンピュータスタンドの使用方法
図２８を参照すると、この発明の実施例に従った本／ラップトップ型コンピュータスタンド３４を用いるための方法１００のフローチャートが示される。方法１００は、概して、ラップトップ型コンピュータ５２を見ること／用いることに関して本／ラップトップ型コンピュータスタンド３４の使用を説明しているが、特に言及および説明した場合を除き、本５０にも等しく同様に適用される。さらに、この発明の具体的な実施例を説明する目的で、この発明の好ましい実施例に示されるとおり摺動クランプは４つであるが、上述のとおり、摺動クランプ４が１つだけであってもよく、さらに所望されるだけの数であってもよいことが想定される。ラップトップ型コンピュータ５２を備えた本／ラップトップ型コンピュータスタンド３４を用いるために、ユーザは、ステップ１０２において本／ラップトップ型コンピュータスタンド３４を組立てるかまたは組立てており、そして、ステップ１０４において本／ラップトップ型コンピュータスタンド３４を位置決めする。次いで、ユーザは、ステップ１０６において本／ラップトップ型コンピュータスタンド３４の高さを予備的に調整してから、ラップトップ型コンピュータ５２を本／ラップトップ型コンピュータスタンド３４の上に配置し得る。ステップ１０６における高さの調整は、本／ラップトップ型コンピュータスタンド３４の高さを大きく調整するためのフリップロックレバー１７ａ、ｂの使用を含み、（使用時に特定のスタンドに存在するのであれば）Ｌ字形の補強材１４ａ、ｂを用いた上述のような高さの調整を含み得る。
【００７６】
ステップ１０８においては、ユーザは搭載プラットフォーム２上にラップトップ型コンピュータ５２を配置し、次いでステップ１１０において、スロット６ｃ、ｄを通じて下方の摺動クランプ４ｃ、ｄを移動させることにより、下方の摺動クランプ４ｃ、ｄのクランプポスト１８ｃ、ｄはラップトップ型コンピュータ５２の左側および右側の両方においてラップトップ型コンピュータ５２の前縁に接触するかまたは当該前縁に接触するよう接近
し、上方の摺動クランプ４ａ、ｂのクランプポスト１８ａ、ｂは、ＬＣＤスクリーンに可能な限り近づいてラップトップ型コンピュータの底部分の左側および右側に接触するかまたはほぼ接触する。摺動クランプ４ａ〜ｄが適所にあれば、ユーザは各摺動クランプ４ａ〜ｄのロッキングレバー２６ａ〜ｄを「閉じ」、ステップ１１０において、これらをラップトップ型コンピュータ５２自体の表面にしっかりと当たるように押して、クランプ動作により摺動クランプ４ａ〜ｄをそれぞれの位置でさらに締付ける。スロット６ａ〜ｄ内の摺動クランプ４ａ〜ｄの調整可能性の範囲が広いということは、ラップトップ型コンピュータ５２の構成要素の中でも、縁に装着されたボタン、光学メディア引出し、ＵＳＢ／ファイヤワイヤ（登録商標）／イーサネット（登録商標）ポート、無線カードを実質的に妨げない摺動クランプ４ａ〜ｄのための位置をユーザがほぼ常に見出すことができることを意味する。
【００７７】
ステップ１１４において、ラップトップ型コンピュータ５２が搭載プラットフォーム２に適切に取付けられていれば、ユーザは、ユーザの姿勢に応じて、自身の膝、胴または胸の上に本／ラップトップ型コンピュータスタンド３４およびラップトップ型コンピュータ５２を位置決めする際に最終的な調整を行なうことができる。上述のとおり、ユーザは、捩り止め１６を用いて本／ラップトップ型コンピュータスタンド３４の高さおよびその幅を調整することができる。ステップ１１６において、ユーザは、カプラ８およびカプラクランプ３８ａ、ｂを用いて、搭載プラットフォーム２および取付けられたラップトップ型コンピュータ２の傾斜角を最終的に調整することができる。カプリングクランプ３８ａ、ｂがともに完全に解放されていれば、搭載プラットフォーム２は、基部構成要素１５ｇの軸を中心にして実質的に自由に回転する。搭載プラットフォーム２は、緩められたカプラクランプのうちの１つを用いて回転可能に調整することができ、摩擦により回転運動を遅らせ、これにより、ユーザを驚かすかまたは場合によってはユーザの体にぶつかるような形でラップトップ型コンピュータ５２が予期せず急に回転するのを実質的に防ぎ得る。
【００７８】
上述のステップ１１４の実行中に、ユーザが本／ラップトップ型コンピュータスタンド３４を実質的に仰向けで用いる場合、ユーザが横たわっている面に対してほぼ垂直になるように搭載プラットフォーム２の角度を調整することによって有意な人間工学的利点が得られる。次いで、ユーザの上腕全体をユーザの体に沿った面に置いたままでユーザがキーボードおよびトラックパッドを操作することができるように、搭載プラットフォーム２の高さを調整することができる。次いで、横たわる面に対して垂直にした前腕でラップトップ型コンピュータ５２のキーボード／トラックパッドを操作することができるような位置に本／ラップトップ型コンピュータスタンド３４を移動させることができる。このようにして、前腕、手首および手によって真直ぐな線が実現され、疲労が劇的に減じられる。当然、ラップトップ型コンピュータ自体の設計によっても、最適に視聴できるようＬＣＤスクリーンに角度を付けることができる。
【００７９】
上述のとおり、方法１００は、本５０を備えた本／ラップトップ型コンピュータスタンド３４の使用に等しく適用される。ステップ１０８においてラップトップ型コンピュータ５２を搭載プラットフォーム２上に配置する代わりに、本５０は、ユーザによって搭載プラットフォーム２上に「上向きに」配置され、ユーザが読み始めたいと考えている大体のページで開かれる。ステップ１１０において、下方の摺動クランプ４ｃ、ｄは、クランプポスト１８ｃ、ｄが開かれた本５０の底縁に接触するかまたはほぼ接触するように、スロット６ｃ、ｄ内において調整される。次いで、下方の摺動クランプ４ｃ、ｄのロッキングレバー２７ｃ、ｄが本５０の下方の右側および左側の角でページを保持するよう締められる（ステップ１１２）。次いで、上方の摺動クランプ４ａ、ｂがスロット６ａ、ｂ内において調整されることにより、ロッキングレバー６ａ、ｂが締められると、ロッキングレバー２６ａ、ｂの内面自体が、開かれたページを本５０の左上および右上で保持する。ユーザが実質的に仰向けであるか急な傾斜を付けてもたれながら読もうとしない限り、摺動ク
ランプ４ａ〜ｄの動作により本５０が搭載プラットフォーム２に固定され、そのページが保持される。ステップ１１４において、ユーザは、上述のとおり、本／ラップトップ型コンピュータスタンド３４の高さ（または幅）を調整し、次に、視野角を調整する（ステップ１１６）ことができる。判断ステップ１１８において、ユーザは、ブックストラップ５４を用いるか否かを判断する。ユーザがブックストラップ５４を用いないと判断すれば（判断ステップ１１８から「Ｎｏ」の経路）、方法１００はステップ１２２に進む。
【００８０】
本５０の右側のロッキングレバー２６ｂ、ｄの最も外側の部分２９ｂ、ｄに位置する（ユーザが左側から右側にページをめくると想定して）回転ボール４８ｂ、ｄの下からページを滑らせ、ページをひっくり返し、これを本５０の左側の摺動クランプ４ａ、ｃに位置するロッキングレバー２６ａ、ｃの最も外側の部分２９ａ、ｃの回転ボール４８ａ、ｃの下に押込むことにより、ページが容易にめくられる（ステップ１２２）。ロッキングレバー２６ａ〜ｄの調整可能性の範囲が広いことにより、ページの進行により本５０の半分の厚さが著しく変わり始めるときに、これらのロッキングレバー２６ａ〜ｄを漸進的に締め得ることが確実にされる。スロット６ａ〜ｄにより、確実に、摺動クランプ４ａ〜ｄ自体が実際のテキストを不明瞭にする必要がなくなる。
【００８１】
ユーザが完全にもしくは実質的に仰向けで、または極端にもたれかかって読むことを選択した場合、本５０の「面」をユーザに向けて下方に角度付けすることが必要となる。これらの状況で本５０を固定するのを助け、かつ、ページに対してそれほどきつく当たらないよう摺動クランプ４ａ〜ｄを締めることを可能にすることによってページをめくるのを容易にするために、ユーザは、判断ステップ１１８においてブックストラップ５４を用いるか否かを決定することができる。ユーザがブックストラップ５４を用いると判断すれば（判断ステップ１１８から「Ｙｅｓ」の経路）、ユーザはステップ１２０においてブックストラップ５４を挿入する。次いで、ユーザは、読書中に読む可能性のあるすべてのページまたは部分が保持され、ブックストラップ５４の開いた区域５６を通じてひっくり返されるように、本５０を開く。ブックストラップ５４は、次いで、搭載プラットフォーム２の上にたれ下がり、搭載プラットフォーム７０の後ろ側に位置するポストまたはスナップに付けられている搭載プラットフォーム２の底部の下で輪になる。ブックストラップ５４のストラップ５８ａ〜ｄを保持するための他の機構は、他の保持手段の中でもバックルおよびスナップを含む。ブックストラップ５４が搭載プラットフォーム２に対して本５２をしっかりと固定していれば、ページを保持するのに必要なだけ本５０の各々の角において摺動クランプ４ａ〜ｄが位置決めされ、締められる／閉じられる。ページが下方に向いている場合、重力がこの点に関してユーザに対して実際に作用し、本の背の左側および右側のしっかりと留められていないページをロッキングレバー２６ａ〜ｄの内面に向かって引張る。次いで、上述のとおり、ステップ１２２において、ユーザはページを本の一方側からの他方側に容易にめくることができる。
【００８２】
概して、実質的もしくは完全に仰向けであるかまたは極端にもたれながら本／ラップトップ型コンピュータスタンド３４を用いて本５０を読むことを所望するユーザは、本／ラップトップ型コンピュータスタンド３４の高さを上げて、ページと目との間に好ましい距離を設ける必要があるだろう。大抵の人の場合、理想的な距離は目から本５０までの腕の長さである。本／ラップトップ型コンピュータスタンド３４を用いて実質的もしくは完全に仰向けでまたは極端にもたれながら本５０を読む場合、別の調整が望ましいかもしれず、基部構成要素１５ｇの周りで３６０度の回転が可能であることに加えて、搭載プラットフォーム２自体は３６０゜旋回（すなわち回転）することができる。さらに、この発明の代替的な実施例に従うと、搭載カプラ８は、より高い本に対応するかまたは摺動クランプ４ａ〜ｄの好ましい構成を実現するために、９０゜、１８０゜、２７０゜および３６０゜のいくつかまたはより多くの所定の角度の戻り止めを含み得る。さらに、この発明のさらに別の実施例に従うと、戻り止めは５゜、１０゜または他の角度分離点で設けられてもよ
い。この発明の当業者が認識し得るように、戻り止め位置間の分離点は、各戻り止め間において同じ角度である必要はない。仰向けで読むのを容易にするのに十分に高い高さで用いられた場合、特により重い本であれば、ユーザの体上での配向に関しては本／ラップトップ型コンピュータスタンド３４を実際に９０゜ひっくり返すことが望ましいかもしれない（図１に示される実質的に垂直なものに対して実質的に水平な配向のもの）。さらに、搭載カプラ８は、ユーザがより容易に搭載カプラ８の旋回角度位置を選択することができるように、その回転調整において戻り止めを有し得る。
【００８３】
ビデオゲームを容易にするよう本／ラップトップ型コンピュータスタンド３４を用いることは、これをラップトップ型コンピュータ５２と共に用いることに類似している。コンソールスタイルのビデオゲーム（Xbox 360（登録商標）、PlayStation3（登録商標）など）を用いる際、ユーザは、上述のとおり、ビデオゲーム用のモニタとしての役割りを果たす（薄いパネルの）ＬＣＤモニタを、摺動クランプ４ａ〜ｄを用いて搭載プラットフォーム２に搭載する。ＬＣＤスクリーンが取付けられた搭載プラットフォーム２の角度／傾斜ならびに搭載プラットフォーム２および取付けられたスクリーンの高さは上述のとおりに調整され得る。
【００８４】
上述のとおり、この発明のさらなる実施例に従うと、他のさまざまな手段を用いて、本／ラップトップ型コンピュータスタンド３４をユーザの上で所望の高さに吊るすことができる。これらの中で主要なものは、一般にユーザが横たわっている面に載っている短いスタンド１０ではなく、床上に載っている高いスタンド６０である。ユーザの上の搭載プラットフォーム２の高さは、図６に図示のとおり、捩り止め１６ａ、ｂによって調整される。高いスタンド６０とともに搭載デッキ１２を用いることは、椅子に座りながらまたは椅子にわずかにもたれながら本／ラップトップ型コンピュータスタンド３４を使用するには好ましい方法であり得る。というのも、搭載デッキ１２は、傾斜可能なテーブル状の面と類似の機能を容易に果たし得るからである。搭載デッキ１２はまた、ベッドフレーム台、（病院ベッド用の）ベッド横板台、および壁掛け式の関節アームとともに用いることができる。
【００８５】
搭載デッキ１２が短いスタンド１０とともに用いられる場合、単に短いスタンド基部構成要素１５の上にある捩り止め１６ａ、ｄを緩めることにより、これらを、搭載プラットフォーム７０の後ろ側に接触するまで、内側に折畳んで左側においては時計周りに、そして、右側においては反時計周りに回転させることができる。次いで、本／ラップトップ型コンピュータスタンド３４は、たとえばベッドの下に容易に収納できるかまたは壁に立て掛けることができ、床面積をほとんど取らなくてすむようにできる。短いスタンド１０（および高いスタンド６０）は、詳細に上述されたとおり、連結するいくつかの個々の部品からできているので、容易に収納または輸送されるよう設計されている。
【００８６】
この発明をそのいくつかの具体的な実施例に関連付けて説明してきた。しかしながら、この発明を上述の具体的な実施例以外の特定の形で具体化できることは当業者には容易に明らかになるだろう。これは、この発明の精神および範囲から逸脱することなく実行され得る。具体的な実施例は単に例示的なものであり、限定的なものと考えられるべきでない。この発明の範囲は、先の説明によってではなく添付の特許請求の範囲およびそれらの同等例によって規定される。
【００８７】
上述のすべての米国特許および出願、外国特許ならびに刊行物がすべて引用によりこの明細書中に援用される。
【図面の簡単な説明】
【００８８】
【図１】この発明の第１の実施例に従ったＸＤｅｃｋ本／ラップトップ型コンピュータホルダの短いスタンド（短いスタンド）を示す斜視図である。
【図２】図１に示される短いスタンドを示す正面図である。
【図３】図１に示される短いスタンドを示す側面図である。
【図４】図１に示される短いスタンドを示す上面図である。
【図５】図１に示される短いスタンドを拡大した構成で示す側面図である。
【図６Ａ】この発明の別の実施例に従ったＸＤｅｃｋ本／ラップトップ型コンピュータホルダの高いスタンド（高いスタンド）を示す斜視図である。
【図６Ｂ】この発明の別の実施例に従ったＸＤｅｃｋ本／ラップトップ型コンピュータホルダの高いスタンド（高いスタンド）を示す斜視図である。
【図６Ｃ】この発明の実施例に従った、１点の家具の下にある高いスタンドに楔安定力を与える調整可能な揺止め補強材を備えた高いスタンドを示す斜視図である。
【図７】図６Ａに示される高いスタンドを示す正面図である。
【図８】図６Ａに示される高いスタンドを示す側面図である。
【図９】図６Ａに示される高いスタンドを示す上面図である。
【図１０Ａ】この発明のさらなる実施例に従った高いスタンドのいくつかの異なる実施例を示す斜視図である。
【図１０Ｂ】この発明のさらなる実施例に従った高いスタンドのいくつかの異なる実施例を示す斜視図である。
【図１０Ｃ】この発明のさらなる実施例に従った高いスタンドのいくつかの異なる実施例を示す斜視図である。
【図１０Ｄ】この発明のさらなる実施例に従った高いスタンドのいくつかの異なる実施例を示す斜視図である。
【図１０Ｅ】この発明のさらなる実施例に従った高いスタンドのいくつかの異なる実施例を示す斜視図である。
【図１０Ｆ】この発明のさらなる実施例に従った高いスタンドのいくつかの異なる実施例を示す斜視図である。
【図１１Ａ】この発明の実施例に従った搭載プラットフォームを示す正面斜視図である。
【図１１Ｂ】この発明の実施例に従った搭載プラットフォームを示す正面斜視図である。
【図１２】図１１Ａおよび図１１Ｂに示される搭載プラットフォームを示す背面斜視図である。
【図１３】図１１Ａおよび図１１Ｂに示される搭載プラットフォームを示す正面図である。
【図１４Ａ】図１１Ａおよび図１１Ｂに示される搭載プラットフォームのいくつかの実施例を示すいくつかの左側面図である。
【図１４Ｂ】図１１Ａおよび図１１Ｂに示される搭載プラットフォームのいくつかの実施例を示すいくつかの左側面図である。
【図１４Ｃ】図１１Ａおよび図１１Ｂに示される搭載プラットフォームのいくつかの実施例を示すいくつかの左側面図である。
【図１４Ｄ】図１１Ａおよび図１１Ｂに示される搭載プラットフォームのいくつかの実施例を示すいくつかの左側面図である。
【図１５】この発明の実施例に従った搭載プラットフォーム上の摺動クランプを示す斜視図である。
【図１６】図１５に示される摺動クランプおよび搭載プラットフォームを示す側面図である。
【図１７Ａ】図１５に示される摺動クランプを示す側面図である。
【図１７Ｂ】この発明の実施例に従った回転ボールを示す、図１７Ａに示される摺動クランプの最も外側の部分を示す拡大側面図である。
【図１８Ａ】図１５に示される摺動クランプを示す拡大された側面斜視図である。
【図１８Ｂ】この発明の付加的な実施例に従った、図１５に示されるロッキングレバーにおいて用いられる回転ボールの付加的な実施例を示す図である。
【図１８Ｃ】この発明の付加的な実施例に従った、図１５に示されるロッキングレバーにおいて用いられる回転ボールの付加的な実施例を示す図である。
【図１９】この発明の実施例に従った搭載カプラを開いた構成で示す斜視図である。
【図２０】この発明の実施例に従った、図１９に示される搭載カプラを結合された構成で示す斜視図である。
【図２１】この発明の実施例に従った、図１１に示される搭載プラットフォームに取付けられた図１９に示される搭載カプラを示す側面図である。
【図２２】図１９に示される搭載カプラを示す拡大側面図である。
【図２３Ａ】この発明の実施例に従ったブックストラップを示す正面図である。
【図２３Ｂ】この発明の代替的な実施例に従ったブックストラップを示す正面図である。
【図２４Ａ】この発明の実施例に従った、本のページを抑える図２３に示されるブックストラップを示す正面斜視図である。
【図２４Ｂ】この発明の実施例に従った、図１１に示される搭載プラットフォームに取付けられた図２４Ａに示される本およびブックストラップを示す正面斜視図である。
【図２５Ａ】この発明の実施例に従った搭載プラットフォームのいくつかの付加的な実施例を示す図である。
【図２５Ｂ】この発明の実施例に従った搭載プラットフォームのいくつかの付加的な実施例を示す図である。
【図２５Ｃ】この発明の実施例に従った搭載プラットフォームのいくつかの付加的な実施例を示す図である。
【図２５Ｄ】この発明の実施例に従った搭載プラットフォームのいくつかの付加的な実施例を示す図である。
【図２５Ｅ】この発明の実施例に従った搭載プラットフォームのいくつかの付加的な実施例を示す図である。
【図２５Ｆ】この発明の実施例に従った搭載プラットフォームのいくつかの付加的な実施例を示す図である。
【図２５Ｇ】この発明の実施例に従った搭載プラットフォームのいくつかの付加的な実施例を示す図である。
【図２５Ｈ】この発明の実施例に従った搭載プラットフォームのいくつかの付加的な実施例を示す図である。
【図２５Ｉ】この発明の実施例に従った搭載プラットフォームのいくつかの付加的な実施例を示す図である。
【図２５Ｊ】この発明の実施例に従った搭載プラットフォームのいくつかの付加的な実施例を示す図である。
【図２５Ｋ】この発明の実施例に従った搭載プラットフォームのいくつかの付加的な実施例を示す図である。
【図２５Ｌ】この発明の実施例に従った搭載プラットフォームのいくつかの付加的な実施例を示す図である。
【図２５Ｍ】この発明の実施例に従った搭載プラットフォームのいくつかの付加的な実施例を示す図である。
【図２５Ｎ】この発明の実施例に従った搭載プラットフォームのいくつかの付加的な実施例を示す図である。
【図２５Ｏ】この発明の実施例に従った搭載プラットフォームのいくつかの付加的な実施例を示す図である。
【図２５Ｐ】この発明の実施例に従った搭載プラットフォームのいくつかの付加的な実施例を示す図である。
【図２５Ｑ】この発明の実施例に従った搭載プラットフォームのいくつかの付加的な実施例を示す図である。
【図２５Ｒ】この発明の実施例に従った搭載プラットフォームのいくつかの付加的な実施例を示す図である。
【図２５Ｓ】この発明の実施例に従った搭載プラットフォームのいくつかの付加的な実施例を示す図である。
【図２６】この発明の代替的な実施例に従った短いスタンドを示す正面図である。
【図２７】この発明の代替的な実施例に従った短いスタンドを示す側面図である。
【図２８】この発明の実施例に従ったＸＤｅｃｋ本／ラップトップ型コンピュータスタンドを用いるための方法を示すフローチャートである。
【図２９】この発明の実施例に従った、ラップトップ型コンピュータを保持するＸＤｅｃｋ本／ラップトップ型コンピュータスタンドを示す正面斜視図である。
【図３０】この発明の実施例に従った、本を保持するＸＤｅｃｋ本／ラップトップ型コンピュータスタンドを示す正面斜視図である。
【図３１】ユーザが実質的に仰向けであるときに用いて本を保持する、この発明の実施例に従ったベッド上のＸＤｅｃｋ本／ラップトップ型コンピュータの短いスタンドを示す図である。
【図３２】ユーザが実質的に仰向けであるときに用いられる、この発明の実施例に従った、ベッドに隣接するＸＤｅｃｋ本／ラップトップ型コンピュータの高いスタンドを示す図である。
【図１】
2009514607.tif 000003
【図２】
2009514607.tif 000004
【図３】
2009514607.tif 000005
【図４】
2009514607.tif 000006
【図５】
2009514607.tif 000007
【図６Ａ】
2009514607.tif 000008
【図６Ｂ】
2009514607.tif 000009
【図６Ｃ】
2009514607.tif 000010
【図７】
2009514607.tif 000011
【図８】
2009514607.tif 000012
【図９】
2009514607.tif 000013
【図１０Ｂ】
2009514607.tif 000014
【図１０Ｃ】
2009514607.tif 000015
【図１０Ｄ】
2009514607.tif 000016
【図１０Ｅ】
2009514607.tif 000017
【図１０Ｆ】
2009514607.tif 000018
【図１１Ａ】
2009514607.tif 000019
【図１１Ｂ】
2009514607.tif 000020
【図１２】
2009514607.tif 000021
【図１３】
2009514607.tif 000022
【図１４Ａ】
2009514607.tif 000023
【図１４Ｂ】
2009514607.tif 000024
【図１４Ｃ】
2009514607.tif 000025
【図１４Ｄ】
2009514607.tif 000026
【図１５】
2009514607.tif 000027
【図１６】
2009514607.tif 000028
【図１７Ａ】
2009514607.tif 000029
【図１７Ｂ】
2009514607.tif 000030
【図１８Ａ】
2009514607.tif 000031
【図１８Ｂ】
2009514607.tif 000032
【図１８Ｃ】
2009514607.tif 000033
【図１９】
2009514607.tif 000034
【図２０】
2009514607.tif 000035
【図２１】
2009514607.tif 000036
【図２２】
2009514607.tif 000037
【図２３Ａ】
2009514607.tif 000038
【図２３Ｂ】
2009514607.tif 000039
【図２４Ａ】
2009514607.tif 000040
【図２４Ｂ】
2009514607.tif 000041
【図２５Ａ】
2009514607.tif 000042
【図２５Ｂ】
2009514607.tif 000043
【図２５Ｃ】
2009514607.tif 000044
【図２５Ｄ】
2009514607.tif 000045
【図２５Ｅ】
2009514607.tif 000046
【図２５Ｆ】
2009514607.tif 000047
【図２５Ｇ】
2009514607.tif 000048
【図２５Ｈ】
2009514607.tif 000049
【図２５Ｉ】
2009514607.tif 000050
【図２５Ｊ】
2009514607.tif 000051
【図２５Ｋ】
2009514607.tif 000052
【図２５Ｌ】
2009514607.tif 000053
【図２５Ｍ】
2009514607.tif 000054
【図２５Ｎ】
2009514607.tif 000055
【図２５Ｏ】
2009514607.tif 000056
【図２５Ｐ】
2009514607.tif 000057
【図２５Ｑ】
2009514607.tif 000058
【図２５Ｒ】
2009514607.tif 000059
【図２５Ｓ】
2009514607.tif 000060
【図２６】
2009514607.tif 000061
【図２７】
2009514607.tif 000062
【図２９】
2009514607.tif 000063
【図３０】
2009514607.tif 000064
【図３１】
2009514607.tif 000065
【図３２】
2009514607.tif 000066
【図１０Ａ】
2009514607.tif 000067
【図２８】
2009514607.tif 000068
【国際調査報告】
2009514607.tif 000069